(57)【要約】  無線通信端末が通信セルからの受信電力を測定するための参照信号をデータ領域のリソースで送信する無線通信装置は、無線通信端末に固有の参照信号を配置する前記データ領域のリソースを決定する制御部と、前記参照信号を前記制御部が決定したリソースで送信する無線送信部とを備える。無線通信端末が通信セルからの受信電力を測定するための参照信号を送信する無線通信装置を提供することができる。
2013128528.tif 000002
【特許請求の範囲】
【請求項１】
無線通信端末が通信セルからの受信電力を測定するための参照信号をデータ領域のリソースで送信する無線通信装置であって、
無線通信端末に固有の参照信号を配置する前記データ領域のリソースを決定する制御部と、
前記参照信号を前記制御部が決定したリソースで送信する無線送信部と、
を備えた無線通信装置。
【請求項２】
請求項１に記載の無線通信装置であって、
前記制御部は、前記参照信号に対して全端末向けのプリコーディングを行う無線通信装置。
【請求項３】
請求項２に記載の無線通信装置であって、
前記データ領域のリソースは、ｅＰＤＣＣＨが送信されるリソースである無線通信装置。
【請求項４】
請求項１〜３のいずれか一項に記載の無線通信装置であって、
前記参照信号は、特定のサブフレームの前記データ領域のリソースで送信される無線通信装置。
【請求項５】
請求項１〜４のいずれか一項に記載の無線通信装置であって、
複数のアンテナポートを有し、
前記参照信号は、前記複数のアンテナポートの内、特定のアンテナポートを用いて前記データ領域のリソースで送信される無線通信装置。
【請求項６】
無線通信装置の通信セルから送信された信号の受信電力を測定するための参照信号を受信する無線通信端末であって、
前記無線通信装置からの同期信号に基づいて、セルIDを検出するセルID検出部と、
前記セルID検出部によって検出されたセルIDのセルタイプが、前記参照信号をデータ領域のリソースで送信するタイプのセルか否かを判定するセルタイプ判定部と、
前記セルタイプ判定部によって前記参照信号を前記データ領域のリソースで送信するタイプのセルと判定された場合に、前記参照信号を配置する前記データ領域のリソースを特定する特定参照信号管理部と、
前記特定参照信号管理部で特定されたリソースで送信された前記参照信号の受信電力を測定する受信電力測定部と、
を備えた無線通信端末。
【請求項７】
請求項６に記載の無線通信端末であって、
前記参照信号は、全端末向けのプリコーディングが行われている無線通信端末。
【請求項８】
請求項７に記載の無線通信端末であって、
前記データ領域のリソースは、ｅＰＤＣＣＨが送信されるリソースである無線通信端末。
【請求項９】
請求項６〜８のいずれか一項に記載の無線通信端末であって、
前記参照信号は、前記無線通信装置から、特定のサブフレームの前記データ領域のリソースで送信された無線通信端末。
【請求項１０】
請求項６〜９のいずれか一項に記載の無線通信端末であって、
複数のアンテナポートを有し、
前記参照信号は、前記無線通信装置から、前記複数のアンテナポートの内、特定のアンテナポートを用いて前記データ領域のリソースで送信された無線通信端末。
【請求項１１】
請求項１０に記載の無線通信端末であって、
前記特定のアンテナポートで送信される前記参照信号を用いて、前記データ領域で送信される共通サーチスペースのデータを復号するＣＳＳ復号部と、
前記特定のアンテナポートを含むアンテナポートから選択されたアンテナポートを用いて、前記データ領域で送信される端末固有のサーチスペースのデータを復号するＵＥＳＳ復号部と、
を備えた無線通信端末。
【請求項１２】
無線通信端末が通信セルからの受信電力を測定するための参照信号をデータ領域のリソースで送信する無線通信装置による参照信号送信制御方法であって、
無線通信端末に固有の参照信号を配置する前記データ領域のリソースを決定し、
前記参照信号を前記決定したリソースで送信する参照信号送信制御方法。
【請求項１３】
請求項１２に記載の参照信号送信制御方法であって、
前記参照信号に対して全端末向けのプリコーディングを行う参照信号送信制御方法。
【請求項１４】
請求項１３に記載の参照信号送信制御方法であって、
前記データ領域のリソースは、ｅＰＤＣＣＨが送信されるリソースである参照信号送信制御方法。
【請求項１５】
無線通信装置の通信セルから送信された信号の受信電力を測定するための参照信号を受信する無線通信端末による参照信号処理方法であって、
前記無線通信装置からの同期信号に基づいて、セルIDを検出し、
検出されたセルIDのセルタイプが、前記参照信号をデータ領域のリソースで送信するタイプのセルか否かを判定し、
前記参照信号が前記データ領域のリソースで送信するタイプのセルと判定した場合に、前記参照信号を配置する前記データ領域のリソースを特定し、
特定されたリソースで送信された前記参照信号の受信電力を測定する参照信号処理方法。
【請求項１６】
請求項１５に記載の参照信号処理方法であって、
前記参照信号は、全端末向けのプリコーディングが行われている参照信号処理方法。
【請求項１７】
請求項１６に記載の参照信号処理方法であって、
前記データ領域のリソースは、ｅＰＤＣＣＨが送信されるリソースである参照信号処理方法。
【発明の詳細な説明】
【技術分野】
【０００１】
本発明は、無線通信端末が通信セルからの受信電力を測定するための参照信号を送信する無線通信装置、無線通信端末、参照信号送信制御方法及び参照信号処理方法に関する。
【背景技術】
【０００２】
標準化団体3GPP（The 3rd Generation Partnership Project）は、LTE（Long Term Evolution）方式と互換性のある次世代の通信規格として、LTE-Advanced（Long Term Evolution Advanced：LTE-A）の標準化を進めている。LTEでは、ネットワーク（Evolved Universal Terrestrial Radio Access Network：E-UTRAN）の無線通信装置（以下「NE（Network Entity）」ともいう）は、１つ以上の通信セルを提供する。【０００３】
無線通信装置は、無線通信基地局（E-UTRAN NodeB：eNB）や張り出し基地局（Remote Radio Head：RRH）、中継装置（リレーノード又はリピータ）等といった、無線通信端末（User Equipment：UE）のアクセスポイントとなる装置である。無線通信端末は、無線通信装置が提供する１つ以上の通信セルのうちの１つの通信セルに属する。なお、無線通信端末は、複数の周波数を使用し、複数の通信セルに属する場合もある。また、無線通信端末は、１つの周波数の複数の通信セルと送受信を行う場合もある。以下、無線通信装置を「基地局」と呼び、無線通信端末を「端末」と呼び、通信セルを「セル」と呼ぶ。【０００４】
LTEでは、物理層下り制御チャネル（PDCCH：Physical Downlink Control CHannel）を用いて、基地局から端末に対する下り回線（DL：Downlink）のデータ割り当てを指示するDL grant（DL assignmentとも呼ばれる）と、端末から基地局に対する上り回線（UL：UpLink）のデータ割り当てを指示するUL grantとが送信される。DL grantは、このDL grantが送信されたサブフレーム内において、端末に対して割り当てられたDLリソースを通知する。一方、UL grantは、FDD（Frequency Division Duplex）システムとTDD（Time Division Duplex）システムとで、端末に対して割り当てられるリソースのサブフレームが異なる。FDDシステムにおいて、UL grantは、このUL grantが送信されたサブフレームより４サブフレーム後の対象サブフレーム内における、端末に対して割り当てられたULリソースを通知する。また、TDDシステムにおいて、UL grantは、このUL grantが送信されたサブフレームより４サブフレーム以上後の対象サブフレーム内における、端末に対して割り当てられたULリソースを通知する。TDDシステムでは、端末に対する割当対象サブフレームとして、UL grantが送信されたサブフレームのいくつ後のサブフレームが割り当てられるかは、上り回線及び下り回線が時分割されるパターン（以下、「UL/DLコンフィグレーションパターン」という）に応じて定められる。ただし、どのUL/DLコンフィグレーションパターンにおいても、ULサブフレームは、UL grantが送信されたサブフレームの４サブフレーム以上後のサブフレームである。【０００５】
端末は、PDCCH領域にある共通サーチスペース（Common Search Space）とＵＥ個別サーチスペース（UE specific search space）とをブラインドデコーディング（BD：Blind Decoding）することにより、本端末にとって必要な制御信号が送られているかを知る。共通サーチスペースでは、全端末向けの制御信号が送られ、ＵＥ個別サーチスペースでは、端末毎の制御信号が送られる。【０００６】
LTE-Advancedでは、１つのセルに接続する端末数の増加又は端末あたりの通信パケット量の増加に伴う、PDCCH領域のリソース不足が懸念されている。PDCCH領域のリソースが不足して、基地局が端末に対してデータ割り当てを指示する制御信号をPDCCHにマッピングできなくなると、端末に対するデータ割り当てが行えない。この場合、データをマッピングする物理層下り共有チャネル（PDSCH：Physical Downlink Shared CHannel）領域のリソースが空いていても使用することができず、システムスループットが低下する恐れがある。【０００７】
PDCCH領域のリソース不足を解消する方法として、基地局配下の端末に向けた制御信号を、データ領域（例えば、PDSCH領域）として使用されていたリソースにも配置することが検討されている。この基地局配下の端末に向けた制御信号がマッピングされる新たな領域は、Enhanced PDCCH（ePDCCH）領域、New-PDCCH（N-PDCCH）領域又はX-PDCCH領域などと呼ばれる。また、LTE-Advancedではリレー技術が導入されており、リレー装置用の制御信号はデータ領域に配置されている。このリレー装置用の制御信号を拡張して端末用の制御信号に使用する可能性があることから、当該制御信号を配置する領域はR-PDCCH（リレー装置用PDCCH）領域とも呼ばれる。このように制御信号を配置する領域を新たに増やすことで制御信号数を増やすことができる。また、PDCCH領域以外の新たに制御信号を送信する領域（以下、「ePDCCH」と呼ぶ）をセル間で変えることによって、セルエッジ付近に存在する端末へ送信される制御信号に対する送信電力制御、又は、送信される制御信号が他のセルへ与える干渉制御若しくは他のセルから自セルへ与えられる干渉制御が実現可能となる。【０００８】
LTE-Advancedでは、リレー装置用の制御信号を配置する領域（R-PDCCH領域）がデータ領域（例えば、PDSCH領域）に設けられる。このR-PDCCHにも、PDCCHと同様に、DL grant及びUL grantが配置される。さらに、R-PDCCHでは、DL grantは第１スロットに配置され、UL grantは第２スロットに配置される（非特許文献１参照）。DL grantを第１スロットのみに配置することで、DL grantの復号遅延が短くなるため、リレー装置は、DLデータに対するＡＣＫ／ＮＡＣＫの送信（FDDでは、DL grantの受信から４サブフレーム後に送信）に備えることができる。リレー装置は、RRC（Radio Resource Control）層で基地局から「リレー装置サブフレーム設定（RN subframe Config）」が送られると、その設定情報に含まれるR-PDCCH設定（rpdcch Config）を基に、割り当てられたR-PDCCH領域のリソース（サーチスペース）を判断する。さらに、リレー装置は、基地局からR-PDCCH領域で送信された制御信号を受信する。【０００９】
［リソースの説明］
LTE及びLTE-Advancedでは、１つのリソースブロック（RB（Resource Block））は「12サブキャリア×0.5msec」であり、RBを時間軸上に２つ組み合わせた単位をRB pairと呼ぶ。したがって、RB pairは「12サブキャリア×1msec」である。周波数軸上の12サブキャリアの塊を表す場合、RB pairを単にRBと呼ぶこともある。また、物理レイヤではPRB（Physical RB）pairと呼ばれる。また、「1サブキャリア×1OFDMシンボル」の単位をRE（Resource Element）と呼ぶ。1RB pairあたりのOFDMシンボル数は、OFDMシンボルのCP（Cyclic Prefix） lengthの長さによって変わる。1RB pairあたりePDCCHが配置される領域のRE数は、OFDMシンボル数又は参照信号（RS（Reference Signal））に使用されるRE数によって異なる。但し、使用できるOFDMシンボル数や、参照信号はサブフレームごとに変化する。したがって、使用できるRE数が少ないサブフレームではePDCCHの受信品質が低くなる。さらに、PDCCH領域をePDCCHに用いない場合、PDCCH領域のOFDMシンボル数によって、ePDCCHに使用できるOFDMシンボル数が減少する。PDCCHに使用されるOFDMシンボル数は1〜4である。【００１０】
［参照信号の説明］
参照信号の種類は主に下記の３種類がある。１つ目は、CRS（Cell specific Reference Signal）である。CRSは、全RBにおいて、特定のREを用いて送信される。ただし、CRSはMBSFN（Multimedia Broadcast multicast service Single Frequency Network）サブフレーム以外ではデータ領域でも送信されるが、MBSFNサブフレームでは先頭の2OFDMシンボルのみで送信される。また、CRSは、セルIDによって、配置されるREが決定される。【００１１】
２つ目は、DMRS（UE specific Reference Signal）である。DMRSは、PDSCHの復号のために送信される。端末は、DL assignmentで動的に使用するDMRSのアンテナポートが指示される。そのため、基地局は、端末毎に異なるDMRS数を指示できる。また、DMRSは、データ領域で送信される（非特許文献２を参照）。【００１２】
３つ目は、CSI-RS（Channel State Information Reference Signal）である。CSI-RSは、基地局が送ることができるリソースは予め規定されているけれども、実際に送信するリソースをセル毎に変えることができる。端末は、RRC層で送信される個別制御情報に基づいて、周期及び送信されるリソースを知ることができる。【００１３】
また、PDCCH及びR-PDCCHは、アグリゲーションレベルとしてレベル１，２，４，８の４つのレベルを有する（例えば、非特許文献２参照）。そして、レベル１，２，４，８は、６，６，２，２種類のマッピング候補位置から構成されるサーチスペースをそれぞれ有する。ここで、マッピング候補位置とは、制御信号がマッピングされる領域の候補である。１つの端末に対して１つのアグリゲーションレベルが設定されると、そのアグリゲーションレベルが有する複数の制御信号のマッピング候補位置の内の１つに、制御信号が実際にマッピングされる。【００１４】
図１９は、R-PDCCHに対応するサーチスペースの一例を示す図である。図１９に示す各楕円は、各アグリゲーションレベルの制御信号のマッピング候補位置を示す。各アグリゲーションレベルの各サーチスペースにおける複数のマッピング候補位置は、VRB（Virtual Resource Block）においては連続的に配置される。そして、VRBにおける各マッピング候補位置は、RRC層のシグナリングによって、PRB（Physical Resource Block）にマッピングされる。【００１５】
ePDCCHに対応するサーチスペースは、端末毎に個別に設定されることが検討されている。ePDCCHの設計については、R-PDCCHの設計の一部を使うこともできるし、R-PDCCHの設計と全く異なる設計とすることもできる。実際に、ePDCCHの設計とR-PDCCHの設計を異なるものにすることも検討されている。【００１６】
上述した通り、R-PDCCHでは、DL grantは第１スロットにマッピングされ、UL grantは第２スロットにマッピングされる。すなわち、DL grantがマッピングされるリソースと、UL grantがマッピングされるリソースとは、時間軸で分割されている。これに対して、ePDCCHでは、DL grantがマッピングされるリソースとUL grantがマッピングされるリソースとが周波数軸（つまり、サブキャリア又はRB pair）で分割されることや、PRB pair内のREを複数のグループに分割することも検討されている。【００１７】
さらに、ePDCCHの配置方法として、周波数帯域上の近い位置にまとめて配置する「Localized割当て」と、ePDCCHを周波数帯域上に散らばせて配置する「Distributed割当て」の両方が検討されている。「Localized割当て」は、周波数スケジューリングゲインを得るための割当て方法であり、回線品質情報に基づき、回線品質の良いリソースにePDCCHを割り当てることができる。「Distributed割当て」は、周波数軸上にePDCCHを散らばせて、周波数ダイバーシチゲインを得ることができる。また、基地局は、「Localized用サーチスペース」と「Distributed用サーチスペース」を同時に設定することも考えられる。
【先行技術文献】
【非特許文献】
【００１８】
【非特許文献１】3GPP TS36.216 V10.1.0, “Physical layer for relaying operation”
【非特許文献２】3GPP TS36.211 v10.4.0, “Evolved Universal Terrestrial Radio Access (E-UTRA) Physical Channels and Modulation”
【非特許文献３】3GPP TS36.304 v10.4.0, “Evolved Universal Terrestrial Radio Access (E-UTRA) User Equipment (UE) procedures in idle mode”
【非特許文献４】3GPP RAN WG1, R1-113675,“Further details on design principles for additional carrier types”, Ericsson, ST-Ericsson
【非特許文献５】3GPP RAN WG1, R1-114071,“Issues Regarding Additional Carrier Type in Rel-11 CA”, NTT DOCOMO
【発明の概要】
【発明が解決しようとする課題】
【００１９】
LTEにおいて、アイドル状態の端末は、接続するセルを再選択するために、隣接セルの同期チャネルを受信することによってセルIDを検出し、当該検出したセルIDに対応するセルからの受信電力を測定するために、参照信号であるCRSを測定する。CRSを測定したアイドル状態の端末は、再選択を行うセルを決定する（非特許文献３を参照）。上述したように、CRSはセルIDによってリソースの位置が決定されるため、アイドル状態の端末は、セルIDを検出した時点で、CRSが配置されているリソースを判断することができる。【００２０】
また、LTEにおいて、コネクテッド状態の端末は、基地局から送信される個別制御情報に含まれる測定設定（Measurement Configuration）に基づいて、ハンドオーバ先のセル（target cell）を探す。コネクテッド状態の端末は、隣接セルの同期チャネルを受信することによってセルIDを検出し、当該検出したセルIDに対応するセルからの受信電力を測定するために、参照信号であるCRSを測定する。コネクテッド状態の端末がその測定結果を基地局に報告すると、その基地局はハンドオーバ先のセルを決定する。【００２１】
LTE-Advancedでは、PDCCH領域をもたず、ePDCCHのみで運用するセルが検討されている。このセルは、「extension carrier typeのセル」、「additional carrier typeのセル」又は「new type carrier typeのセル」などと呼ばれる（非特許文献４、５を参照）。以下、当該セルを「additional carrier typeのセル」と呼ぶ。このadditional carrier typeのセルは、他セルとの干渉を避けるために、参照信号であるCRSを送らないことが検討されている。このため、ePDCCHのみで運用するセルを利用した方式のLTE-Advancedでは、アイドル状態の端末がセルの再選択を行うとき、又は、コネクテッド状態の端末が移動制御を行うとき、セルの受信電力を測定するための参照信号をいかにして端末に送信するかが課題となる。【００２２】
本発明の目的は、無線通信端末が通信セルからの受信電力を測定するための参照信号を送信する無線通信装置、当該参照信号を用いる無線通信端末、参照信号送信制御方法及び参照信号処理方法を提供することである。
【課題を解決するための手段】
【００２３】
本発明は、無線通信端末が通信セルからの受信電力を測定するための参照信号をデータ領域のリソースで送信する無線通信装置であって、無線通信端末に固有の参照信号を配置する前記データ領域のリソースを決定する制御部と、前記参照信号を前記制御部が決定したリソースで送信する無線送信部と、を備えた無線通信装置を提供する。【００２４】
本発明は、無線通信装置の通信セルから送信された信号の受信電力を測定するための参照信号を受信する無線通信端末であって、前記無線通信装置からの同期信号に基づいて、セルIDを検出するセルID検出部と、前記セルID検出部によって検出されたセルIDのセルタイプが、前記参照信号をデータ領域のリソースで送信するタイプのセルか否かを判定するセルタイプ判定部と、前記セルタイプ判定部によって前記参照信号を前記データ領域のリソースで送信するタイプのセルと判定された場合に、前記参照信号を配置する前記データ領域のリソースを特定する特定参照信号管理部と、前記特定参照信号管理部で特定されたリソースで送信された前記参照信号の受信電力を測定する受信電力測定部と、を備えた無線通信端末を提供する。【００２５】
本発明は、無線通信端末が通信セルからの受信電力を測定するための参照信号をデータ領域のリソースで送信する無線通信装置による参照信号送信制御方法であって、無線通信端末に固有の参照信号を配置する前記データ領域のリソースを決定し、前記参照信号を前記決定したリソースで送信する参照信号送信制御方法を提供する。【００２６】
本発明は、無線通信装置の通信セルから送信された信号の受信電力を測定するための参照信号を受信する無線通信端末による参照信号処理方法であって、前記無線通信装置からの同期信号に基づいて、セルIDを検出し、検出されたセルIDのセルタイプが、前記参照信号をデータ領域のリソースで送信するタイプのセルか否かを判定し、前記参照信号が前記データ領域のリソースで送信するタイプのセルと判定した場合に、前記参照信号を配置する前記データ領域のリソースを特定し、特定されたリソースで送信された前記参照信号の受信電力を測定する参照信号処理方法を提供する。
【発明の効果】
【００２７】
本発明に係る無線通信装置及び参照信号送信制御方法によれば、無線通信端末が通信セルからの受信電力を測定するための参照信号を送信することができる。また、本発明に係る無線通信端末及び参照信号処理方法によれば、当該参照信号を用いて通信セルの受信電力を測定することができる。
【図面の簡単な説明】
【００２８】
【図１】第１の実施形態の無線通信システムにおいて、端末UE1が移動制御のために隣接セルを測定する際のタイミングチャートの一例を示す図
【図２】第１の実施形態の無線通信システムを構成する端末UE1のブロック図
【図３】第１の実施形態の無線通信システムを構成する無線通信装置NE11のブロック図
【図４】第１の実施形態の無線通信システムにおいて、アイドル状態の端末UE1がセル再選択（Cell Reselection）を行う際のフローチャート
【図５】第２の実施形態の無線通信システムにおいて、端末UE2が移動制御のために隣接セルを測定する際のタイミングチャートの一例を示す図
【図６】「Localized ePDCCH」と「Distributed ePDCCH」が混在するサブフレームの一例を示す図
【図７】第２の実施形態の無線通信システムを構成する端末UE2のブロック図
【図８】第２の実施形態の無線通信システムを構成する無線通信装置NE21のブロック図
【図９】第２の実施形態の無線通信システムにおいて、アイドル状態の端末UE2がセル再選択（Cell Reselection）を行う際のフローチャート
【図１０】第３の実施形態の無線通信システムにおいて、アイドル状態の端末UE3がセル再選択（Cell Reselection）を行う際のフローチャート
【図１１】第４の実施形態の無線通信システムにおいて、端末UE4が移動制御のために隣接セルを測定する際のタイミングチャートの一例を示す図
【図１２】第４の実施形態の無線通信システムを構成する端末UE4のブロック図
【図１３】第４の実施形態の無線通信システムを構成する無線通信装置NE41のブロック図
【図１４】第４の実施形態の無線通信システムにおいて、アイドル状態の端末UE4がセル再選択（Cell Reselection）を行う際のフローチャート
【図１５】第５の無線通信システムにおいて、端末UE5がePDCCHを復号する際のタイミングチャートの一例を示す図
【図１６】第５の実施形態の無線通信システムを構成する端末UE5のブロック図
【図１７】第５の実施形態の無線通信システムを構成する無線通信装置NE51のブロック図
【図１８】第５の実施形態の無線通信システムにおいて、コネクテッド状態の端末UE5の動作を示すフローチャート
【図１９】R-PDCCHに対応するサーチスペースの一例を示す図
【発明を実施するための形態】
【００２９】
以下、本発明の実施形態について、図面を参照して説明する。
【００３０】
本発明に係る無線通信システムの実施の形態について、図面を参照して詳細に説明する。以下説明する実施形態の無線通信システムは、少なくとも１つの無線通信端末と、無線通信ネットワークを介して無線通信端末と通信可能な複数の無線通信装置とを備える。以下の説明では、無線通信端末を単に「端末」という。端末は、例えば携帯電話機である。また、以下の説明において、無線通信装置は、例えば、無線通信基地局（E-UTRAN NodeB：eNB）、無線通信基地局から離れた位置に設置される張り出し基地局（Remote Radio Head：RRH）、無線通信基地局等と無線で接続される中継装置（リレーノード又はリピータ）、フェムト基地局及びピコ基地局等を総称した、端末が無線で通信可能な装置である。なお、張り出し基地局（RRH）は、無線通信基地局（eNB）の無線部（Radio Frequency部：ＲＦ部）と同様の機能を有し、光ファイバケーブル等の有線ケーブルで無線通信基地局（eNB）に接続されている。
【００３１】
無線通信システムは、3GPP（The 3rd Generation Partnership Project）で規格化されているLTE又はLTE-Advancedの移動通信技術を利用する。但し、無線通信システムが利用する移動通信技術は、上記規格に限られず、無線ＬＡＮ（Wireless Local Area Network）、ＩＥＥＥ８０２.１６、ＩＥＥＥ８０２.１６ｅ若しくはＩＥＥＥ８０２.１６ｍ等のＷｉＭＡＸ（Worldwide Interoperability for Microwave Access）、３ＧＰＰ２、ＳＡＥ（System Architecture Evolution）、ＵＭＴＳ(Universal Mobile Telecommunications System)、又は第四世代移動通信規格であっても良い。
【００３２】
各無線通信装置は、少なくとも１つの通信セルを構成する。通信セルは、地理的エリアに対して割り当てられた識別子又は当該地理的エリアで用いられる周波数の相違に基づいて、端末がユニークに識別できる無線ネットワークオブジェクトをいう。
【００３３】
以下の説明では、通信セルを単に「セル」という。１つの無線通信装置又は１つの受信点によって、１つ以上のキャリア周波数の各々につき、１つ以上のセルが構成される。なお、上記構成は基本概念であり、無線通信装置が他の無線通信装置と協調して１つのセルを構成しても良い。端末は、無線通信装置が構成する少なくとも１つのセルを利用して通信する。
【００３４】
以下、第１〜第８の実施形態の無線通信システムについて順に説明する。なお、第１〜第８の実施形態において、同一機能を有する構成には同一符号を付し、重複する説明は省略する。また、下記各実施形態の無線通信システムでは、セルの形態として、「additional carrier typeのセル」について説明する。「additional carrier typeのセル」は、PDCCH領域の代わりにePDCCH領域が配置され、参照信号であるCRSを送信しないセルである。なお、以下説明する各実施形態の内容は、「additional carrier typeのセル」以外のセル、例えばPDCCH及びCRSを送信するセルにも適用可能である。すなわち、端末が本実施形態の動作を適用するか否かが判断できればよい。
【００３５】
（第１の実施形態）
図１〜図４を参照して、第１の実施形態の無線通信システムについて説明する。第１の実施形態の無線通信システムは、上記説明した端末及び無線通信装置から構成される。端末は、当該端末に固有の参照信号である特定のDMRS（UE specific Reference Signal）を用いて、移動制御のための測定を行う。無線通信装置は、端末が移動制御のための測定に使用するDMRS（特定のDMRS）に、全端末向けのプリコーディングを行うかプリコーディングを行わずに当該特定のDMRSを送信する。また、無線通信装置は、各端末に対して無線リソース（例えば、周波数領域又は時間領域での周波数帯域）の割り当て及び管理を行い、端末のための無線アクセスネットワークのアクセスポイントの役割を有する。
【００３６】
図１は、第１の実施形態の無線通信システムにおいて、端末UE1が移動制御のために隣接セルを測定する際のタイミングチャートの一例を示す図である。図１に示すように、端末UE1には、セルが報知する特定のDMRSが配置されるリソースを特定可能な機能が予め設定されている（Ｔ１０１）。なお、特定のDMRSは、全端末向けのプリコーディングを行うDMRS又はプリコーディングを行わないDMRSである。一方、図１に示した無線通信装置NE11及び無線通信装置NE12は、端末UE1が特定のDMRSの配置されたリソースを特定できるよう、特定のDMRSを配置する（Ｔ１０３）。例えば、無線通信装置NE11及び無線通信装置NE12は、セルIDから特定のDMRSが配置されるリソースを導き出すテーブル又は計算式を無線通信端末UE1と予め共有しておくことにより、自セルのセルIDから特定のDMRSのリソースを特定する。こうすることで、セル間で特定のDMRSが干渉することを避けることができる。
【００３７】
また、別の方法としては、セルIDにかかわらず全てのセルにおいて、同じリソースを用いて、特定のDMRSを配置する方法がある。この方法によればテーブル又は計算式を予め端末に設定する必要がない。このため、端末の設計が容易である。さらに別の方法としては、報知情報によって特定のDMRSのリソースを通知する方法がある。こうすることで、セル配置に応じて特定のDMRSのリソースの配置を変えることができるため、柔軟にネットワークの設計を行うことができる。なお、上記以外の方法を用いても良い。
【００３８】
図１に示した例では、端末UE1は、無線通信装置NE11配下のセルに接続している（Ｔ１０５）。無線通信装置NE11配下のセルは、セルを識別可能な情報（例えば、同期信号）、特定のDMRS、及び報知情報を報知する（Ｔ１０７）。端末UE1は、無線通信装置NE11配下のセル（自セル）の受信電力を測定し、かつ、報知情報を取得する（Ｔ１０９）。
【００３９】
無線通信装置NE12配下のセルは、セルを識別可能な情報（例えば、同期信号）及び特定のDMRSを報知する（Ｔ１１１）。端末UE1がアイドル状態の場合、端末UE1は、報知情報に含まれる制御情報に基づいて、隣接セルへのセル再選択（Cell Reselection）を行うと判定すると、無線通信装置NE12配下のセルの同期信号を取得する。そして、端末UE1は、取得した同期信号からセルを識別した後、特定のDMRSが配置されるリソースを特定する（Ｔ１１３）。そして、端末UE1は、無線通信装置NE12配下のセル（隣接セル）において、特定のDMRSの受信電力を測定する（Ｔ１１５）。
【００４０】
端末UE1がコネクテッド状態の場合、端末UE1は、自セルからの個別制御情報に含まれる測定設定（Measurement Configuration）を取得する。端末UE1は、測定設定に基づき、隣接セルの測定が必要であると判定すると、無線通信装置NE12配下のセルの同期信号を取得する。そして、端末UE1は、取得した同期信号からセルを識別した後、特定のDMRSが配置されるリソースを特定する。そして、端末UE1は、無線通信装置NE12配下のセル（隣接セル）において、特定のDMRSの受信電力を測定する。
【００４１】
このように、端末UE1は、アイドル状態であってもコネクテッド状態であっても、特定のDMRSを測定することによって自セル及び隣接セルの受信電力を測定することができるため、移動制御を行うことができる。なお、コネクテッド状態の端末UE1は、自セルからCSI-RSのリソースが通知された後は、自セルの測定をCSI-RSで行い、隣接セルの測定を特定のDMRSを用いて行っても良い。また、端末UE1は、セルのタイプに応じて、CRS、CSI-RS及び特定のDMRSのいずれかを用いて測定してもよい。例えば、同じ周波数上に、CRSを報知するセルと特定のDMRSを報知するセルが混在する場合、端末UE１は、CRSを報知するセルに関してはCRSにより測定し、特定のDMRSを報知するセルに関しては特定のDMRSを用いて測定する。また、端末UE1は、隣接セルの測定設定にCSI-RSの情報が含まれている場合、当該隣接セルに関してはCSI-RSで測定し、それ以外のセルに関しては特定のDMRSで測定してもよい。
【００４２】
［第１の実施形態の端末UE1の構成］
図２は、第１の実施形態の無線通信システムを構成する端末UE1のブロック図である。図２に示すように、第１の実施形態の端末UE1は、受信部１０１と、制御部１０３と、送信部１０５とを備える。制御部１０３は、移動制御部１１１と、セルID検出部１１３と、セルタイプ判定部１１５と、特定DMRS管理部１１７と、測定部１１９とを有する。測定部１１９は、CRS測定部１２１と、特定DMRS測定部１２３とを有する。
【００４３】
受信部１０１は、制御部１０３からの指示に応じて、端末UE1が接続しているセルのダウンリンクを介して、報知情報又は個別制御情報等の制御情報を受信する。また、受信部１０１は、受信した制御情報を制御部１０３へ出力する。また、受信部１０１は、制御部１０３に含まれる測定部１１９のCRS測定部１２１からの指示に応じて、CRSを測定する。受信部１０１は、CRSの測定結果をCRS測定部１２１に送る。また、受信部１０１は、制御部１０３に含まれる測定部１１９の特定DMRS測定部１２３からの指示に応じて、DMRSを測定する。受信部１０１は、DMRSの測定結果を特定DMRS測定部１２３に送る。受信部１０１は、制御部１０３のセルID検出部１１３からの指示に応じて、同期信号を受信する。受信部１０１は、受信した同期信号をセルID検出部１１３に送る。
【００４４】
制御部１０３は、受信部１０１に報知情報又は個別制御情報等の制御情報の受信を指示する。制御部１０３には、受信部１０１が受信した制御情報が入力される。制御部１０３に入力された制御情報に含まれるセルの受信電力の測定に関する情報は、制御部１０３の移動制御部１１１に入力される。制御部１０３は、移動制御部１１１から隣接セルの測定を指示されると、隣接セルの測定を開始する。
【００４５】
以下、制御部１０３が有する各構成要素について説明する。
【００４６】
移動制御部１１１は、端末UE1がアイドル状態のとき、制御部１０３から入力されたセル再選択（Cell Reselection）に関する制御情報と、自セルと隣接セルの受信電力又は受信品質とに基づいて、隣接セルへの再選択を行うかを判定する。一方、移動制御部１１１は、端末UE1がコネクテッド状態のとき、制御部１０３から入力された測定設定と、自セルと隣接セルの受信電力又は受信品質とに基づいて、測定報告（Measurement Report）を作成する。移動制御部１１１が作成した測定報告は送信部１０５へ送られる。
【００４７】
移動制御部１１１は、自セルのセルタイプがPDCCHを報知するセル（従来のセル）の場合、自セルの受信電力又は受信品質の測定を、測定部１１９のCRS測定部１２１に指示する。一方、移動制御部１１１は、自セルのセルタイプが「additional carrier typeのセル」の場合、自セルの受信電力又は受信品質の測定を、測定部１１９の特定DMRS測定部１２３に指示する。
【００４８】
移動制御部１１１は、端末UE1がアイドル状態のとき、隣接セルを再選択したほうがよいと判定すると、当該判定結果を制御部１０３に出力する。一方、移動制御部１１１は、端末UE1がコネクテッド状態のとき、測定設定に基づき、測定報告を報告すると判定すると、測定報告を作成して送信部１０５に出力する。また、移動制御部１１１は、端末UE1がコネクテッド状態のとき、測定部１１９から入力された自セルの受信電力又は受信品質に基づき、隣接セルの測定を開始すると判定すると、セルID検出部１１３にセルの検出を指示する。
【００４９】
セルID検出部１１３は、受信部に同期信号の受信を指示する。セルID検出部１１３は、受信部から入力された同期信号に基づいて、隣接セルのセルIDを検出する。セルID検出部１１３は、検出したセルIDをセルタイプ判定部１１５に出力する。なお、セルID検出部１１３は、隣接セルのセルIDを検出するために必要な情報（例えば、セルIDに対応する検出信号）を制御部１０３から取得する。セルID検出部１１３は、その検出信号を検出するように受信部に指示し、受信部が受信した検出信号を基に隣接セルを検出してもよい。この場合、制御部１０３は、報知情報又は個別制御情報からセルIDに対応する検出信号を知る方法を備えていても良い。
【００５０】
セルタイプ判定部１１５は、セルID検出部１１３が検出したセルIDのセルタイプが「additional carrier typeのセル」かPDCCHを報知する従来のセルかを判定する。セルタイプ判定部１１５は、セルIDのセルタイプが「additional carrier typeのセル」であると判定すると、セルIDを特定DMRS管理部１１７に出力する。一方、セルタイプ判定部１１５は、セルIDのセルタイプが従来のセルであると判定すると、セルIDを測定部１１９のCRS測定部１２１に出力する。
【００５１】
以下、セルタイプ判定部１１５が行うセルタイプの判定方法について説明する。セルタイプ判定部１１５は、以下に示す判定方法例のいずれかを実行することで、セルタイプを判定する。
【００５２】
＜１つ目の判定方法例＞
セルタイプ判定部１１５は、周波数から「additional carrier typeのセル」か従来のセルかを判定する。このようにすることで、端末は、「additional carrier typeのセル」であると特定してからのセルサーチを行うことができるため、端末の消費電力を抑えることができる。
【００５３】
＜２つ目の判定方法例＞
当該方法では、additional carrier typeのセルの同期信号が従来のセルの同期信号と異なる。すなわち、additional carrier typeのセルは、PSS（Primary Synchronization Signal）の系列をサブフレーム番号０とサブフレーム番号５において、反転した系列を用いる。したがって、additional carrier typeのセルであれば、サブフレーム番号０のPSSとサブフレーム番号５のPSSを加算するとゼロになり、減算すると２倍の大きさになる。一方、従来のセルであれば、サブフレーム番号０のPSSとサブフレーム番号５のPSSを加算すると２倍の大きさとなり、減算するとゼロになる。セルタイプ判定部１１５は、サブフレーム番号０のPSSとサブフレーム番号５のPSSを加算及び減算した各計算結果に基づいて、「additional carrier typeのセル」か従来のセルかを判定する。
【００５４】
＜３つ目の判定方法例＞
当該方法では、additional carrier typeのセルの同期信号を、従来のセルの同期信号とは異なる位置のリソースに配置しておく。セルタイプ判定部１１５は、additional carrier typeのセルと従来のセルの両方の同期信号の検出を試みる。セルタイプ判定部１１５は、同期信号を検出できた場合、検出した同期信号の位置によって、additional carrier typeのセルか従来のセルかを判定する。
【００５５】
＜４つ目の判定方法例＞
セルタイプ判定部１１５は、MIB（Master Information Block）のCRC（Cyclic Redundancy Check）によって、additional carrier typeのセルか従来のセルかを判定する。additional carrier typeのセルは、MIBの報知に使用するリソースがREレベルで異なるように設定される。従来のセルにCRCを用いた場合、additional carrier typeのセルのMIBはエラーとなるため、セルタイプ判定部１１５はセルのタイプを判定できる。
【００５６】
＜５つ目の判定方法例＞
当該方法では、additional carrier typeのセルか否かを示す情報が報知情報に含まれる。セルタイプ判定部１１５は、報知情報に含まれる情報に基づいて、additional carrier typeのセルか否かを判定する。なお、報知情報に含まれる情報は、additional carrier typeのセルであることを示すフラグでもよい。
【００５７】
＜６つ目の判定方法例＞
当該方法では、隣接セルがadditional carrier typeのセルか否かを示す情報が報知情報に含まれる。なお、当該情報は、隣接セルの全てがadditional carrier typeのセルか否かを示すフラグでもよい。また、当該情報は、隣接セルの識別子毎にadditional carrier typeのセルか否かを示す隣接セルリストでもよい。また、セルタイプ判定部１１５は、状況に応じて、ネットワークがどちらを通知するかを判定してもよい。この場合、Choiceでネットワークが通知する方法を用いても良い。セルタイプ判定部１１５は、セルID検出部１１３が同期信号から検出したセルIDと隣接セルリストとを比較して、additional carrier typeのセルか否かを判定する。
【００５８】
なお、セルタイプ判定部１１５は、上記以外の方法でセルタイプを判定しても良い。
【００５９】
測定部１１９のCRS測定部１２１は、セルIDが入力されると、予め設定されているセルIDに対応したCRSのリソースを受信部１０１に通知し、当該CRSを測定するよう受信部１０１に指示する。CRS測定部１２１は、受信部１０１から入力されたCRSの測定結果に基づいて受信電力又は受信品質を算出し、その算出結果を移動制御部１１１に出力する。
【００６０】
特定DMRS管理部１１７は、セルIDが入力されると、移動制御に使用できる特定のDMRSが配置されるリソースを特定する。なお、特定のDMRSは、全端末向けのプリコーディングを行うDMRS又はプリコーディングを行わないDMRSである。特定DMRS管理部１１７は、特定のDMRSが配置されるリソースとセルIDを、測定部１１９の特定DMRS測定部１２３に出力する。
【００６１】
以下、特定DMRS管理部１１７が行う特定のDMRSが配置されるリソースの特定方法について説明する。特定DMRS管理部１１７は、以下に示す特定方法例のいずれかを実行することで、特定のDMRSのリソースを特定する。
【００６２】
＜１つ目の特定方法例＞
特定DMRS管理部１１７は、セルIDから特定のDMRSが配置されるリソースを導き出すためのテーブル又は計算式を保持する。特定DMRS管理部１１７は、テーブル又は計算式に基づいて、入力されたセルIDに対応する特定のDMRSのリソースを特定する。このようにすることで、セルIDを検知すれば、特定のDMRSを特定することができる。すなわち、セル間で特定のDMRSの配置を変えることができるため、干渉制御を行うことができる。
【００６３】
＜２つ目の特定方法例＞
当該例では、特定のDMRSのリソースとしてセル間で同じリソースが使用されている。この場合、特定DMRS管理部１１７は、予め保持しているセル間で共通の特定のDMRSのリソースを特定する。このようにすることで、端末UE1は、テーブルや計算式の保持をしなくてもよい。
【００６４】
＜３つ目の特定方法例＞
当該例では、自セルの報知情報に、自セルの特定のDMRSのリソース及び隣接セルの特定のDMRSのリソースが含まれる。この場合、特定DMRS管理部１１７は、自セルの報知情報を受信することにより、入力されたセルIDに対応する特定のDMRSのリソースを特定する。
【００６５】
＜４つ目の特定方法例＞
端末UE1が自セルとコネクテッド状態のとき、端末UE1は、自セルから送られた個別制御情報により、隣接セルにおける特定のDMRSが配置されるリソースに関する情報が通知される。この場合、特定DMRS管理部１１７は、自セルの個別制御情報を受信することにより、入力されたセルIDに対応する特定のDMRSのリソースを特定する。
【００６６】
＜５つ目の特定方法例＞
特定DMRS管理部１１７は、特定のDMRSのリソースを導き出すテーブル又は計算式を保持する。特定DMRS管理部１１７は、テーブル又は計算式より、特定のDMRSが存在する可能性があるリソースのリストを導出する。特定DMRS管理部１１７は、特定のDMRSが存在する可能性があるリソースのリストをブラインドデコーディングすることにより、特定のDMRSのリソースを特定する。このようにすることで、自由度のある特定のDMRSの配置が可能となる。
【００６７】
なお、特定DMRS管理部１１７は、上記以外の方法を用いて特定のDMRSのリソースを特定してもよい。
【００６８】
測定部１１９の特定DMRS測定部１２３は、セルIDと特定のDMRSのリソースが入力されると、それらを受信部１０１に通知し、当該DMRSを測定するよう受信部１０１に指示する。特定DMRS測定部１２３は、受信部１０１から入力されたDMRSの測定結果に基づいて受信電力又は受信品質を算出し、その算出結果を移動制御部１１１に出力する。
【００６９】
送信部１０５は、ランダムアクセスプリアンブル、制御信号応答又はデータなどを送信する。また、送信部１０５は、無線通信装置NE11又はNE12へのＵＬパケットを、当該無線通信装置に対応する送信タイミングで送信する。
【００７０】
［第１の実施形態の無線通信装置NE11の構成］
図３は、第１の実施形態の無線通信システムを構成する無線通信装置NE11のブロック図である。図３に示すように、第１の実施形態の無線通信装置NE11は、無線受信部１５１と、制御部１５３と、無線送信部１５５とを備える。制御部１５３は、特定DMRS管理部１６１を有する。
【００７１】
無線受信部１５１は、端末UE1から送信されたランダムアクセスプリアンブル又は制御信号応答などを受信して、制御部１５３へ出力する。また、無線受信部１５１は、端末UE1から送信されたＵＬパケットを受信して、制御部１５３へ出力する。
【００７２】
制御部１５３は、無線通信装置NE11が提供するセルを「additional carrier typeのセル」として運用する場合、端末UE1が検知できる方法を用いて、特定のDMRSのリソースを決定し、当該決定したリソースに関する情報を特定DMRS管理部１６１に出力する。また、制御部１５３は、特定のDMRSに対して全端末向けのプリコーディングを行う指示又は特定のDMRSにプリコーディングを行わない指示を特定DMRS管理部１６１に送る。制御部１５３は、報知情報を生成し、無線送信部１５５に出力する。制御部１５３は、特定のDMRSを用いる場合、当該特定のDMRSに対応するパケットに全端末向けのプリコーディングを行い、又は、当該特定のDMRSに対応するパケットにプリコーディングを行わずに、無線送信部１５５に出力する。制御部１５３は、ランダムアクセスプリアンブルに対応するランダムアクセス応答を生成し、無線送信部１５５に出力する。制御部１５３は、端末毎に個別制御情報を生成し、無線送信部１５５に出力する。
【００７３】
特定DMRS管理部１６１は、制御部１５３からの指示に応じて、特定のDMRSに全端末向けのプリコーディングを行うかプリコーディングを行わずに、当該特定のDMRSを無線送信部１５５へ出力する。
【００７４】
無線送信部１５５は、特定DMRS管理部１６１から入力された特定のDMRSを端末UE1に送信する。無線送信部１５５は、制御部１５３から入力されたデータ、報知情報、個別制御情報又はランダムアクセス応答などを端末UE1に送信する。
【００７５】
（第１の実施形態における端末UE1のセル再選択方法）
以下、図４を参照して、アイドル状態の端末UE1がセル再選択（Cell Reselection）を行う際の動作について説明する。図４は、第１の実施形態の無線通信システムにおいて、アイドル状態の端末UE1がセル再選択（Cell Reselection）を行う際のフローチャートである。なお、端末UE1は、無線通信装置NE11が提供するセル（自セル）に接続し、アイドル状態である。
【００７６】
図４に示すように、端末UE1は、自セルからの報知情報により、セル再選択の基準などを取得する（ステップＳ１０１）。次に、端末UE1は、隣接セルのセルIDを検出する（ステップＳ１０２）。次に、端末UE1は、隣接セルが「additional carrier typeのセル」であるか否かを判定する（ステップＳ１０４）。このとき、例えば、端末UE1は、ブラインドデコーディングにより、additional carrier type用のセルID検出方法と従来のセルID検出方法の両方をステップＳ１０２で試す。端末UE1は、どちらの方法でセルIDが検出されたかにより、additional carrier typeのセルか否かを判定する。また、端末UE1は、additional carrier typeのセルであると判定してから、当該セルのセルIDの検出を試みても良い。
【００７７】
ステップＳ１０４で、additional carrier typeのセルであると判定された場合（すなわち、Yesである場合）はステップＳ１０５に進み、additional carrier typeのセルでないと判定された場合（すなわち、Noである場合）はステップＳ１０７に進む。ステップＳ１０５では、端末UE1は、全端末向けのプリコーディングが行われている又はプリコーディングが行われていない特定のDMRSが送られるリソースを特定する。次に、端末UE1は、特定のDMRSを使用して受信電力の測定を行う（ステップＳ１０６）。一方、ステップＳ１０７では、端末UE1は、CRSが送られるリソースをセルIDから特定する。次に、端末UE1は、特定したセルIDのリソースで送られるCRSを使用して受信電力の測定を行う（ステップＳ１０８）。
【００７８】
端末UE1は、ステップＳ１０６又はＳ１０８で受信電力の測定に成功するとステップＳ１０９に進む。ステップＳ１０９では、端末UE1は、受信電力の測定結果に基づいて、セル再選択を行う。
【００７９】
なお、上記と同様の方法を用いて、コネクテッド状態の端末UE1が移動制御を行っても良い。すなわち、ステップＳ１０９において、端末UE1は、受信電力の測定結果に基づいて測定結果報告を作成する。
【００８０】
以上説明したように、本実施形態によれば、端末UE1は、特定のDMRSを測定することによって受信電力を取得することができるため、LTEで参照信号として利用されるCRSを用いなくても移動制御が可能である。また、アイドル状態の端末UE1は、特定のDMRSを利用すれば、従来のセル再選択と同じ手順でセル再選択を行うことができる。このため、端末UE1の処理負荷を軽減できるとともに、新しい参照信号を追加しなくても良い。また、セルにおけるリソース配置が容易である。
【００８１】
（第２の実施形態）
図５〜図９を参照して、第２の実施形態の無線通信システムについて説明する。第２の実施形態の無線通信システムが第１の実施形態の無線通信システムと異なる点は、端末が移動制御のために測定する全端末向けのプリコーディングが行われる又はプリコーディングを行わないDMRS（特定のDMRS）を、ePDCCHが送られるRB上のDMRSに限定することである。この点以外は第１の実施形態と同様である。
【００８２】
図５は、第２の実施形態の無線通信システムにおいて、端末UE2が移動制御のために隣接セルを測定する際のタイミングチャートの一例を示す図である。図５に示すように、端末UE2には、セルが送信するePDCCHが配置されるリソースを特定可能な機能が予め設定されている（Ｔ２０１）。一方、図５に示した無線通信装置NE21及び無線通信装置NE22は、端末UE2がePDCCHのリソースを特定できるよう、ePDCCHのRBに特定のDMRSを配置する（Ｔ２０３）。例えば、無線通信装置NE21及び無線通信装置NE22は、セルIDからePDCCHが配置されるリソースを導き出すテーブル又は計算式を無線通信端末UE2と予め共有しておくことにより、自セルのセルIDからePDCCHのリソースを特定する。こうすることで、セル間でePDCCHが干渉することを避けることができる。
【００８３】
また、別の方法としては、セルIDにかかわらず全てのセルにおいて、同じリソースを用いて、ePDCCHを配置する方法がある。この方法によればテーブル又は計算式を予め端末に設定する必要がない。このため、端末の設計が容易である。さらに別の方法としては、報知情報によってePDCCHのリソースを通知する方法がある。こうすることで、セル配置に応じてePDCCHのリソースの配置を変えることができるため、柔軟にネットワークの設計を行うことができる。なお、上記以外の方法を用いても良い。
【００８４】
図５に示した例では、端末UE2は、無線通信装置NE21配下のセルに接続している（Ｔ２０５）。無線通信装置NE21配下のセルは、セルを識別可能な情報（例えば、同期信号）、ePDCCHを送信するRB上で送信される全端末向けのプリコーディングされた又はプリコーディングが行われない特定のDMRS、及び報知情報を報知する（Ｔ２０７）。端末UE2は、無線通信装置NE21配下のセル（自セル）の受信電力を測定し、かつ、報知情報を取得する（Ｔ２０９）。
【００８５】
無線通信装置NE22配下のセルは、セルを識別可能な情報（例えば、同期信号）、及びePDCCHを送信するRB上における全端末向けのプリコーディングされた又はプリコーディングが行われない特定のDMRSを報知する（Ｔ２１１）。端末UE2がアイドル状態の場合、端末UE2は、報知情報に含まれる制御情報に基づいて、隣接セルへのセル再選択を行うと判定すると、無線通信装置NE22配下のセルの同期信号を取得する。そして、端末UE2は、取得した同期信号からセルを識別した後、ePDCCHのRBを特定する（Ｔ２１３）。そして、端末UE2は、無線通信装置NE12配下のセル（隣接セル）において、ePDCCHが送信されるRB上の特定のDMRSの受信電力を測定する（Ｔ２１５）。
【００８６】
端末UE2がコネクテッド状態の場合、端末UE2は、自セルからの個別制御情報に含まれる測定設定（Measurement Configuration）を取得する。端末UE2は、測定設定に基づき、隣接セルの測定が必要であると判定すると、無線通信装置NE22配下のセルの同期信号を取得する。そして、端末UE2は、取得した同期信号からセルを識別した後、ePDCCHが配置されるRBを特定する。そして、端末UE2は、無線通信装置NE22配下のセル（隣接セル）において、ePDCCHが送信されるRB上の特定のDMRSの受信電力を測定する。
【００８７】
このように、端末UE2は、アイドル状態であってもコネクテッド状態であっても、ePDCCHが送られるRB上の全端末向けのプリコーディングされた又はプリコーディングが行われない特定のDMRSを測定することにより、自セル及び隣接セルの受信電力を測定することができるため、移動制御を行うことができる。また、ePDCCHが送られるRB上のDMRSを特定のDMRSとして運用することで、端末UE2は、特定のDMRSをePDCCHの共通サーチスペース（Common Search Space）の復号に使用することができる。このため、特定のDMRSを送ることによる伝送効率の低下の影響を低減できる。
【００８８】
なお、無線通信装置NE21及び無線通信装置NE22は、特定のDMRSを送信するRBを、ePDCCHが送られるRBの中でも一部のRBに限定してよい。こうすることで、ePDCCHを上記方法で求められるリソースとは異なるリソースに配置することができる。さらに、全端末向けのプリコーディングを行う又はプリコーディングが行われないePDCCHを減らすことができるため、ePDCCHのリソースを有効活用できる。
【００８９】
なお、ePDCCHを送信するRBのうち、特定のDMRSを送信するRBは、共通サーチスペース（Common Search Space）が送られる可能性のあるePDCCHのRBに限定してもよい。このようにすることで、特定のDMRSをePDCCHの共通サーチスペース（Common Search Space)の復号に使用することができるため、当該特定のDMRSは、移動制御の用途と復号の用途に使用できる可能性が高くなり、無線リソースを効率的に使用することができる。
【００９０】
図６は、「Localized ePDCCH」と「Distributed ePDCCH」が混在するサブフレームの一例を示す図である。図６に示すように、「Localized ePDCCH」と「Distributed ePDCCH」が混在する場合、無線通信装置NE21及び無線通信装置NE22は、特定のDMRSを送信するePDCCHを「Distributed ePDCCH」にしてもよい。こうすることで、特定のDMRSの受信電力測定時に周波数フェージングの影響を抑えて測定することができるため、測定精度を上げることができる。
【００９１】
なお、無線通信装置NE21及び無線通信装置NE22は、特定のDMRSを送るRBをサブフレーム間で変えても良い。すなわち、サブフレーム毎に、ePDCCHと特定のDMRSの両方を含むRBの配置を変えることで、より周波数フェージングの影響を抑えて受信電力の測定が可能である。端末UE2は、サブフレーム毎にePDCCHのリソースを特定し、移動制御のために特定のDMRSの受信電力を測定する。なお、サブフレーム毎ではなく、スロット毎に変えても良いし、数サブフレーム毎に変えても良い。
【００９２】
［第２の実施形態の端末UE2の構成］
図７は、第２の実施形態の無線通信システムを構成する端末UE2のブロック図である。図７に示すように、第２の実施形態の端末UE2は、受信部２０１と、制御部２０３と、送信部２０５とを備える。制御部２０３は、移動制御部２１１と、セルID検出部２１３と、セルタイプ判定部２１５と、特定DMRS管理部２１７と、ePDCCH管理部２３１と、測定部２１９とを有する。測定部２１９は、CRS測定部２２１と、特定DMRS測定部２２３とを有する。
【００９３】
受信部２０１は、制御部２０３からの指示に応じて、端末UE2が接続しているセルのダウンリンクを介して、報知情報又は個別制御情報等の制御情報を受信する。また、受信部２０１は、受信した制御情報を制御部２０３へ出力する。また、受信部２０１は、制御部２０３に含まれる測定部２１９のCRS測定部２２１からの指示に応じて、CRSを測定する。受信部２０１は、CRSの測定結果をCRS測定部２２１に送る。また、受信部２０１は、制御部２０３に含まれる測定部２１９の特定DMRS測定部２２３からの指示に応じて、DMRSを測定する。受信部２０１は、DMRSの測定結果を特定DMRS測定部２２３に送る。受信部２０１は、制御部２０３のセルID検出部２１３からの指示に応じて、同期信号を受信する。受信部２０１は、受信した同期信号をセルID検出部２１３に送る。
【００９４】
制御部２０３は、受信部２０１に報知情報又は個別制御情報等の制御情報の受信を指示する。制御部２０３には、受信部２０１が受信した制御情報が入力される。制御部２０３に入力された制御情報に含まれるセルの受信電力の測定に関する情報は、制御部２０３の移動制御部２１１に入力される。制御部２０３は、移動制御部２１１から隣接セルの測定を指示されると、隣接セルの測定を開始する。
【００９５】
以下、制御部２０３が有する各構成要素について説明する。
【００９６】
移動制御部２１１は、端末UE1がアイドル状態のとき、制御部２０３から入力されたセル再選択に関する制御情報と、自セルと隣接セルの受信電力又は受信品質とに基づいて、隣接セルへの再選択を行うかを判定する。一方、移動制御部２１１は、端末UE2がコネクテッド状態のとき、制御部２０３から入力された測定設定と、自セルと隣接セルの受信電力又は受信品質とに基づいて、測定報告（Measurement Report）を作成する。移動制御部２１１が作成した測定報告は送信部２０５へ送られる。
【００９７】
移動制御部２１１は、自セルのセルタイプがPDCCHを報知するセル（従来のセル）の場合、自セルの受信電力又は受信品質の測定を、測定部２１９のCRS測定部２２１に指示する。一方、移動制御部２１１は、自セルのセルタイプが「additional carrier typeのセル」の場合、自セルの受信電力又は受信品質の測定を、測定部２１９の特定DMRS測定部２２３に指示する。
【００９８】
移動制御部２１１は、端末UE2がアイドル状態のとき、隣接セルを再選択したほうがよいと判定すると、当該判定結果を制御部２０３に出力する。一方、移動制御部２１１は、端末UE2がコネクテッド状態のとき、測定設定に基づき、測定報告を報告すると判定すると、測定報告を作成して送信部２０５に出力する。また、移動制御部２１１は、端末UE2がコネクテッド状態のとき、測定部２１９から入力された自セルの受信電力又は受信品質に基づき、隣接セルの測定を開始すると判定すると、セルID検出部２１３にセルの検出を指示する。
【００９９】
セルID検出部２１３は、受信部に同期信号の受信を指示する。セルID検出部２１３は、受信部から入力された同期信号に基づいて、隣接セルのセルIDを検出する。セルID検出部２１３は、検出したセルIDをセルタイプ判定部２１５に出力する。なお、セルID検出部２１３は、隣接セルのセルIDを検出するために必要な情報（例えば、セルIDに対応する検出信号）を制御部２０３から取得する。セルID検出部２１３は、その検出信号を検出するように受信部に指示し、受信部が受信した検出信号を基に隣接セルを検出してもよい。この場合、制御部２０３は、報知情報又は個別制御情報からセルIDに対応する検出信号を知る方法を備えていても良い。
【０１００】
セルタイプ判定部２１５は、セルID検出部２１３が検出したセルIDのセルタイプが「additional carrier typeのセル」かPDCCHを報知する従来のセルかを判定する。セルタイプ判定部２１５は、セルIDのセルタイプが「additional carrier typeのセル」であると判定すると、セルIDをePDCCH管理部２３１に出力する。一方、セルタイプ判定部２１５は、セルIDのセルタイプが従来のセルであると判定すると、セルIDを測定部２１９のCRS測定部２２１に出力する。セルタイプ判定部２１５は、ePDCCH管理部２３１からePDCCHのリソースが入力されると、セルIDとePDCCHのリソースを特定DMRS管理部２１７に出力する。
【０１０１】
以下、セルタイプ判定部２１５が行うセルタイプの判定方法について説明する。セルタイプ判定部２１５は、以下に示す判定方法例のいずれかを実行することで、セルタイプを判定する。
【０１０２】
＜１つ目の判定方法例＞
セルタイプ判定部２１５は、周波数から「additional carrier typeのセル」か従来のセルかを判定する。
【０１０３】
＜２つ目の判定方法例＞
当該方法では、additional carrier typeのセルの同期信号が従来のセルの同期信号と異なる。すなわち、additional carrier typeのセルは、PSS（Primary Synchronization Signal）の系列をサブフレーム番号０とサブフレーム番号５において、反転した系列を用いる。したがって、additional carrier typeのセルであれば、サブフレーム番号０のPSSとサブフレーム番号５のPSSを加算するとゼロになり、減算すると２倍の大きさになる。一方、従来のセルであれば、サブフレーム番号０のPSSとサブフレーム番号５のPSSを加算すると２倍の大きさとなり、減算するとゼロになる。セルタイプ判定部２１５は、サブフレーム番号０のPSSとサブフレーム番号５のPSSを加算及び減算した各計算結果に基づいて、「additional carrier typeのセル」か従来のセルかを判定する。
【０１０４】
＜３つ目の判定方法例＞
当該方法では、additional carrier typeのセルの同期信号を、従来のセルの同期信号とは異なる位置のリソースに配置しておく。セルタイプ判定部２１５は、additional carrier typeのセルと従来のセルの両方の同期信号の検出を試みる。セルタイプ判定部２１５は、同期信号を検出できた場合、検出した同期信号の位置によって、additional carrier typeのセルか従来のセルかを判定する。
【０１０５】
＜４つ目の判定方法例＞
セルタイプ判定部２１５は、MIB（Master Information Block）のCRC（Cyclic Redundancy Check）によって、additional carrier typeのセルか従来のセルかを判定する。additional carrier typeのセルは、MIBの報知に使用するリソースがREレベルで異なるように設定される。従来のセルにCRCを用いた場合、additional carrier typeのセルのMIBはエラーとなるため、セルタイプ判定部２１５はセルのタイプを判定できる。
【０１０６】
＜５つ目の判定方法例＞
当該方法では、additional carrier typeのセルか否かを示す情報が報知情報に含まれる。セルタイプ判定部２１５は、報知情報に含まれる情報に基づいて、additional carrier typeのセルか否かを判定する。なお、報知情報に含まれる情報は、additional carrier typeのセルであることを示すフラグでもよい。
【０１０７】
＜６つ目の判定方法例＞
当該方法では、隣接セルがadditional carrier typeのセルか否かを示す情報が報知情報に含まれる。なお、当該情報は、隣接セルの全てがadditional carrier typeのセルか否かを示すフラグでもよい。また、当該情報は、隣接セルの識別子毎にadditional carrier typeのセルか否かを示す隣接セルリストでもよい。また、セルタイプ判定部２１５は、状況に応じて、ネットワークがどちらを通知するかを判定してもよい。この場合、Choiceでネットワークが通知する方法を用いても良い。セルタイプ判定部２１５は、セルID検出部２１３が同期信号から検出したセルIDと隣接セルリストとを比較して、additional carrier typeのセルか否かを判定する。
【０１０８】
なお、セルタイプ判定部２１５は、上記以外の方法でセルタイプを判定しても良い。
【０１０９】
測定部２１９のCRS測定部２２１は、セルIDが入力されると、予め設定されているセルIDに対応したCRSのリソースを受信部２０１に通知し、当該CRSを測定するよう受信部２０１に指示する。CRS測定部２２１は、受信部２０１から入力されたCRSの測定結果に基づいて受信電力又は受信品質を算出し、その算出結果を移動制御部２１１に出力する。
【０１１０】
ePDCCH管理部２３１は、セルIDが入力されると、当該セルIDに対応するePDCCHのリソースを導出する。なお、ePDCCH管理部２３１は、特定のDMRSを含むRB上のePDCCHのリソースのみをセルタイプ判定部２１５に出力する。なお、ePDCCHのリソースとは、特定のDMRSが配置されるリソースを特定DMRS管理部２１７が特定できる値であればなんでよい。例えば、RB番号でもよい。
【０１１１】
以下、ePDCCH管理部２３１によるePDCCHのリソースの導出方法について説明する。ePDCCH管理部２３１は、以下に示す導出方法のいずれかを実行することで、ePDCCHのリソースを特定する。
【０１１２】
＜１つ目の導出方法例＞
ePDCCH管理部２３１は、セルIDからePDCCHのリソースを導き出すためのテーブル又は計算式を保持する。ePDCCH管理部２３１は、テーブル又は計算式に基づいて、入力されたセルIDに対応するePDCCHのリソースを特定する。
【０１１３】
＜２つ目の導出方法例＞
当該例では、ePDCCHのリソースとしてセル間で同じリソースが使用されている。この場合、ePDCCH管理部２３１は、予め保持しているセル間で共通のePDCCHのリソースを特定する。
【０１１４】
＜３つ目の導出方法例＞
当該例では、自セルの報知情報に、自セルのePDCCHのリソース及び隣接セルのePDCCHのリソースが含まれる。この場合、ePDCCH管理部２３１は、自セルの報知情報を受信することにより、入力されたセルIDに対するePDCCHのリソースを特定する。
【０１１５】
＜４つ目の特定方法例＞
端末UE2が自セルとコネクテッド状態のとき、端末UE2は、自セルから送られた個別制御情報により、隣接セルのePDCCHのリソースに関する情報が通知される。この場合、ePDCCH管理部２３１は、自セルの個別制御情報を受信することにより、入力されたセルIDに対応するePDCCHのリソースを特定する。
【０１１６】
＜５つ目の特定方法例＞
ePDCCH管理部２３１は、ePDCCHのリソースを導き出すテーブル又は計算式を保持する。ePDCCH管理部２３１は、テーブル又は計算式より、ePDCCHが存在する可能性があるリソースのリストを導出する。特定DMRS管理部２１７は、ePDCCHが存在する可能性があるリソースのリストをブラインドデコーディングすることにより、ePDCCHのリソースを特定する。このようにすることで、自由度のあるePDCCHの配置が可能となる。
【０１１７】
なお、ePDCCH管理部２３１は、上記以外の方法を用いてePDCCHのリソースを特定してもよい。
【０１１８】
特定DMRS管理部２１７は、セルID及びePDCCHのリソースが入力されると、ePDCCHのリソースで送られるRB上のDMRSを特定のDMRSと特定する。特定DMRS管理部２１７は、特定のDMRSが配置されるリソースとセルIDを、測定部２１９の特定DMRS測定部２２３に出力する。
【０１１９】
測定部２１９の特定DMRS測定部２２３は、セルIDと特定のDMRSのリソースが入力されると、それらを受信部２０１に通知し、当該DMRSを測定するよう受信部２０１に指示する。特定DMRS測定部２２３は、受信部２０１から入力されたDMRSの測定結果に基づいて受信電力又は受信品質を算出し、その算出結果を移動制御部２１１に出力する。
【０１２０】
送信部２０５は、ランダムアクセスプリアンブル、制御信号応答又はデータなどを送信する。また、送信部２０５は、無線通信装置NE21又はNE22へのＵＬパケットを、当該無線通信装置に対応する送信タイミングで送信する。
【０１２１】
［第２の実施形態の無線通信装置NE21の構成］
図８は、第２の実施形態の無線通信システムを構成する無線通信装置NE21のブロック図である。図８に示すように、第２の実施形態の無線通信装置NE21は、無線受信部２５１と、制御部２５３と、無線送信部２５５とを備える。制御部２５３は、特定DMRS管理部２６１を有する。
【０１２２】
無線受信部２５１は、端末UE2から送信されたランダムアクセスプリアンブル又は制御信号応答などを受信して、制御部２５３へ出力する。また、無線受信部２５１は、端末UE2から送信されたＵＬパケットを受信して、制御部２５３へ出力する。
【０１２３】
制御部２５３は、無線通信装置NE21が提供するセルを「additional carrier typeのセル」として運用する場合、端末UE2が検知できる方法を用いて、特定のDMRSを含むRBで送られるePDCCHのリソースを決定し、当該決定したリソースに関する情報を特定DMRS管理部２６１に出力する。また、制御部２５３は、特定のDMRSに対して全端末向けのプリコーディングを行い、又は、特定のDMRSにプリコーディングを行わない指示を特定DMRS管理部２６１に送る。制御部２５３は、報知情報を生成し、無線送信部２５５へ出力する。制御部２５３は、特定のDMRSを用いる場合、当該特定のDMRSに対応するパケットに全端末向けのプリコーディングを行い、又は、当該特定のDMRSに対応するパケットにプリコーディングを行わずに、無線送信部２５５に出力する。制御部２５３は、ランダムアクセスプリアンブルに対応するランダムアクセス応答を生成し、無線送信部２５５に出力する。制御部２５３は、端末毎に個別制御情報を生成し、無線送信部２５５に出力する。
【０１２４】
特定DMRS管理部２６１は、制御部２５３から入力されたePDCCHのリソースが送られるRBのDMRSを特定のDMRSとして使用する。また、特定DMRS管理部２６１は、制御部２５３からの指示に応じて、特定のDMRSに全端末向けのプリコーディングを行うかプリコーディングを行わずに、当該特定のDMRSを無線送信部２５５へ出力する。
【０１２５】
無線送信部２５５は、特定DMRS管理部２６１から入力された特定のDMRSを端末UE2に送信する。無線送信部２５５は、制御部２５３から入力されたデータ、報知情報、個別制御情報又はランダムアクセス応答などを端末UE2に送信する。
【０１２６】
（第２の実施形態における端末UE2のセル再選択方法）
以下、図９を参照して、アイドル状態の端末UE2がセル再選択（Cell Reselection）を行う際の動作について説明する。図９は、第２の実施形態の無線通信システムにおいて、アイドル状態の端末UE2がセル再選択（Cell Reselection）を行う際のフローチャートである。なお、図９では、第１の実施形態で図４に示したステップと同じ処理のステップには同じ符号が付されている。端末UE2は、無線通信装置NE21が提供するセル（自セル）に接続し、アイドル状態である。
【０１２７】
図９に示すように、端末UE2は、自セルからの報知情報により、セル再選択の基準などを取得する（ステップＳ１０１）。次に、端末UE2は、隣接セルのセルIDを検出する（ステップＳ１０２）。次に、端末UE2は、隣接セルが「additional carrier typeのセル」であるか否かを判定する（ステップＳ１０４）。このとき、例えば、端末UE2は、ブラインドデコーディングにより、additional carrier type用のセルID検出方法と従来のセルID検出方法の両方をステップＳ１０２で試す。端末UE2は、どちらの方法でセルIDが検出されたかにより、additional carrier typeのセルか否かを判定する。また、端末UE2は、additional carrier typeのセルであると判定してから、当該セルのセルIDの検出を試みても良い。
【０１２８】
ステップＳ１０４で、additional carrier typeのセルであると判定された場合（すなわち、Yesである場合）はステップＳ２０５に進み、additional carrier typeのセルでないと判定された場合（すなわち、Noである場合）はステップＳ１０７に進む。ステップＳ２０５では、端末UE2は、ePDCCHが送られるRBを特定する。次に、端末UE2は、ePDCCHが送られるRBに含まれる特定のDMRSを使用して受信電力の測定を行う（ステップＳ２０６）。一方、ステップＳ１０７では、端末UE2は、CRSが送られるリソースをセルIDから特定する。次に、端末UE2は、特定したセルIDのリソースで送られるCRSを使用して受信電力の測定を行う（ステップＳ１０８）。
【０１２９】
端末UE2は、ステップＳ２０６又はＳ１０８で受信電力の測定に成功するとステップＳ１０９に進む。ステップＳ１０９では、端末UE2は、受信電力の測定結果に基づいて、セル再選択を行う。なお、Distributed ePDCCHを用いても良い。
【０１３０】
このように、端末UE2は隣接セルの受信電力を測定し、端末UE2と無線通信装置NE21及びNE22の双方にとって、よりよいセルにセル再選択を行うことができる。また、無線通信装置NE21及びNE22は、ePDCCHが送られるRB上の特定のDMRSのみにおいて全端末向けのプリコーディングを行う又はプリコーディングを行わないことで、指向性を持たしたデータ送信が可能であるため、データ領域における伝送特性を維持することができる。また、新たな参照信号を追加しなくても、セル再選択のためのセルの受信電力を測定することができる、このため、システム及び端末の設計が容易になる。なお、上記と同様の方法を用いて、コネクテッド状態の端末UE2が移動制御を行っても良い。すなわち、ステップＳ１０９において、端末UE2は、受信電力の測定結果に基づいて測定結果報告を作成する。
【０１３１】
以上説明したように、本実施形態によれば、端末UE2は、ePDCCHが送られるRB上の特定のDMRSを測定することによって受信電力を取得することができるため、LTEで参照信号として利用されるCRSを用いなくても移動制御が可能である。また、アイドル状態の端末UE2は、ePDCCHが送られるRB上の特定のDMRSを利用すれば、従来のセル再選択と同じ手順でセル再選択を行うことができる。このため、端末UE2の処理負荷を軽減できるとともに、新しい参照信号を追加しなくても良い。また、セルにおけるリソース配置が容易である。
【０１３２】
（第３の実施形態）
第３の実施形態の無線通信システムについて説明する。第３の実施形態の無線通信システムが第２の実施形態の無線通信システムと異なる点は、端末が移動制御のために測定する全端末向けのプリコーディングが行われる又はプリコーディングを行わない特定のDMRSを、特定のサブフレームのePDCCHが送られるRB上のDMRSに限定することである。この点以外は第２の実施形態と同様であるため、本実施形態の無線通信システムを構成する端末及び無線通信装置の構成に関する説明は省略する。
【０１３３】
以下、図１０を参照して、アイドル状態の端末UE3がセル再選択（Cell Reselection）を行う際の動作について説明する。図１０は、第３の実施形態の無線通信システムにおいて、アイドル状態の端末UE3がセル再選択（Cell Reselection）を行う際のフローチャートである。なお、図１０では、第２の実施形態で図９に示したステップと同じ処理のステップには同じ符号が付されている。端末UE3は、無線通信装置NE3が提供するセル（自セル）に接続し、アイドル状態である。
【０１３４】
図１０に示すように、端末UE3は、自セルからの報知情報により、セル再選択の基準などを取得する（ステップＳ１０１）。次に、端末UE3は、隣接セルのセルIDを検出する（ステップＳ１０２）。次に、端末UE3は、隣接セルが「additional carrier typeのセル」であるか否かを判定する（ステップＳ１０４）。このとき、例えば、端末UE3は、ブラインドデコーディングにより、additional carrier type用のセルID検出方法と従来のセルID検出方法の両方をステップＳ１０２で試す。端末UE3は、どちらの方法でセルIDが検出されたかにより、additional carrier typeのセルか否かを判定する。また、端末UE3は、additional carrier typeのセルであると判定してから、当該セルのセルIDの検出を試みても良い。
【０１３５】
ステップＳ１０４で、additional carrier typeのセルであると判定された場合（すなわち、Yesである場合）はステップＳ３０５に進み、additional carrier typeのセルでないと判定された場合（すなわち、Noである場合）はステップＳ１０７に進む。ステップＳ３０５では、端末UE3は、移動制御のために測定するサブフレームを特定し、さらに、当該特定したサブフレームにおいてePDCCHが送られるRBを特定する。次に、端末UE3は、当該サブフレームにおいてePDCCHが送られるRBに含まれる特定のDMRSを使用して受信電力の測定を行う（ステップＳ３０６）。一方、ステップＳ１０７では、端末UE3は、CRSが送られるリソースをセルIDから特定する。次に、端末UE3は、特定したセルIDのリソースで送られるCRSを使用して受信電力の測定を行う（ステップＳ１０８）。
【０１３６】
端末UE3は、ステップＳ３０６又はＳ１０８で受信電力の測定に成功するとステップＳ１０９に進む。ステップＳ１０９では、端末UE3は、受信電力の測定結果に基づいて、セル再選択を行う。
【０１３７】
このように、特定のDMRSを送信するサブフレームを限定することによって、ePDCCH上のリソースに関しても、一部のサブフレームではePDCCHが送信されるRB上の特定のDMRSを指向性を持たせて送ることができる。このように、ePDCCHを指向性を持たせて送ることができるため、ePDCCHのリソースを効率よく使用することができる。その結果、ePDCCHにおいて制御信号が送信できなくなる確率を低減できる。なお、上記と同様の方法を用いて、コネクテッド状態の端末UE3が移動制御を行っても良い。すなわち、ステップＳ１０９において、端末UE3は、受信電力の測定結果に基づいて測定結果報告を作成する。
【０１３８】
なお、本実施形態では、特定のサブフレームにおいて、ePDCCHが送られるRB上のDMRSを特定のDMRSと説明したが、特定のサブフレームにおいて、特定のRBに含まれるDMRSを特定のDMRSとしてもよい。これは、サブフレームを限定したことで、データ領域を使用して、指向性を持たないDMRSを送ったとしても、指向性を持たせずに送るデータ量を抑制できるためである。そして、サブフレームを限定する一方で、サブフレーム内で測定できる参照信号数が増えるため、測定精度を向上することができる。また、本実施形態では、特定のサブフレームにおいて、ePDCCHが送られるRB上のDMRSを特定のDMRSと説明したが、第２の実施形態と同様、特定のDMRSを含むRBを、ePDCCHが送られるRBの中で、一部のRBに限定してもよい。
【０１３９】
また、特定のサブフレームは、ＳＩＢ１、ランダムアクセス応答（Random Access Response）又はページングなど、ePDCCH上で共通サーチスペースが用いられる確率が高いサブフレームに限定してもよい。このようにすることで、特定のDMRSが共通サーチスペースの復号に使用される確率が高くなり、より無線リソースを効率的に使用することができる。
【０１４０】
（第４の実施形態）
図１１〜図１４を参照して、第４の実施形態の無線通信システムについて説明する。第４の実施形態の無線通信システムが第２の実施形態の無線通信システムと異なる点は、特定のDMRSを特定のアンテナポートのDMRSに限定することである。この点以外は第２の実施形態と同様である。
【０１４１】
図１１は、第４の実施形態の無線通信システムにおいて、端末UE4が移動制御のために隣接セルを測定する際のタイミングチャートの一例を示す図である。図１１に示すように、端末UE4には、セルが送信するePDCCHが配置されるリソース及び特定のDMRSが送られるアンテナポートに関する情報を取得可能な機能が予め設定されている（Ｔ４０１）。なお、ePDCCHが配置されるリソースを特定するための方法は、第２の実施形態と同じ方法を適用可能である。また、セルタイプの判定方法は、第１の実施形態と同じ方法を適用可能である。一方、図１１に示した無線通信装置NE41及び無線通信装置NE42は、第２の実施形態のように、端末UE4がePDCCHのリソースを特定できるよう、ePDCCHを配置する（Ｔ４０３）。
【０１４２】
図１１に示した例では、端末UE4は、無線通信装置NE41配下のセルに接続している（Ｔ４０５）。無線通信装置NE41配下のセルは、セルを識別可能な情報（例えば、同期信号）、ePDCCHを送信するRB上で特定のアンテナポートを用いて送信される特定のDMRS、及び報知情報を報知する（Ｔ４０７）。端末UE4は、無線通信装置NE41配下のセル（自セル）の受信電力を測定し、かつ、報知情報を取得する（Ｔ４０９）。
【０１４３】
無線通信装置NE42配下のセルは、セルを識別可能な情報（例えば、同期信号）、及びePDCCHを送信するRB上で特定のアンテナポートを用いて送信される特定のDMRSを報知する（Ｔ４１１）。端末UE4がアイドル状態の場合、報知情報に含まれる制御情報に基づいて、隣接セルへのセル再選択を行うと判定すると、無線通信装置NE42配下のセルの同期信号を取得する。そして、端末UE4は、取得した同期信号からセルを識別した後、ePDCCHのRB及び特定のDMRSが送られる特定のアンテナポートを特定する（Ｔ４１３）。そして、端末UE4は、無線通信装置NE42配下のセル（隣接セル）において、ePDCCHが送信されるRBにおいて特定のアンテナポートで送られる特定のDMRSの受信電力を測定する（Ｔ４１５）。
【０１４４】
端末UE4がコネクテッド状態の場合、端末UE4は、自セルからの個別制御情報に含まれる測定設定（Measurement Configuration）を取得する。端末UE4は、測定設定に基づき、隣接セルの測定が必要であると判定すると、無線通信装置NE42配下のセルの同期信号を取得する。そして、端末UE4は、取得した同期信号からセルを識別した後、ePDCCHが配置されるRB及び特定のDMRSが送られる特定のアンテナポートを特定する。そして、端末UE4は、無線通信装置NE42配下のセル（隣接セル）において、ePDCCHが送信されるRBにおいて特定のアンテナポートで送られる特定のDMRSの受信電力を測定する。
【０１４５】
このように、端末UE4は、アイドル状態であってもコネクテッド状態であっても、ePDCCHが送られるRBにおいて特定のアンテナポートで送られる特定のDMRSを測定することにより、自セル及び隣接セルの受信電力を測定することができるため、移動制御を行うことができる。また、ePDCCHが送られるRBにおける特定のアンテナポートで送られるDMRSを特定のDMRSとして運用することで、端末UE4は、特定のアンテナポートで送られるDMRSをePDCCHの共通サーチスペース（Common Search Space）の復号に使用することができる。このため、特定のDMRSを送ることによる伝送効率の低下の影響を低減できる。なお、端末UE4は、ＵＥ個別サーチスペース（UE specific Search Space）の復号も同じ特定のDMRSを用いて行っても良い。その場合、他のアンテナポートではDMRSを送らなくてすむため、そのリソースをePDCCHやデータを送るために活用することができる。
【０１４６】
また、端末UE4は、特定のDMRSがSFBC（Space Frequency Block Code）を用いて送られる場合、ePDCCHの復号もSFBCを用いて行う。また、端末UE4は、特定のDMRSがデータと同じRBで送られる場合において、データを復号に使用するDMRSが、SFBCを用いて送られる特定のDMRSである場合、SFBCを用いてデータの復号を行う。こうすることで、ePDCCH又はデータを復号できる。
【０１４７】
なお、無線通信装置NE41及び無線通信装置NE42は、特定のDMRSを送信するRBを、ePDCCHが送られるRBの内の一部のRBに限定してもよい。こうすることで、上記方法のように、上記方法で求められるリソースとは異なるリソースにePDCCHを配置できる。さらに、全端末向けのプリコーディングを行う又はプリコーディングを行わないePDCCHを減らすことができるため、ePDCCHのリソースを有効活用することができる。
【０１４８】
なお、無線通信装置NE41及び無線通信装置NE42は、特定のDMRSを送るRBをサブフレーム間で変えても良い。すなわち、サブフレーム毎に、ePDCCHと特定のDMRSの両方を含むRBの配置を変えることで、より周波数フェージングの影響を抑えて受信電力の測定が可能である。端末UE4は、サブフレーム毎にePDCCHのリソースを特定し、移動制御のために特定のDMRSの受信電力を測定する。なお、サブフレーム毎ではなく、スロット毎に変えても良いし、数サブフレーム毎に変えても良い。
【０１４９】
なお、本実施の形態は、第１の実施形態、第２の実施形態及び第３の実施形態に適用することができる。
【０１５０】
［第４の実施形態の端末UE4の構成］
図１２は、第４の実施形態の無線通信システムを構成する端末UE4のブロック図である。図１２に示すように、第４の実施形態の端末UE4は、受信部４０１と、制御部４０３と、送信部４０５とを備える。制御部４０３は、移動制御部４１１と、セルID検出部４１３と、セルタイプ判定部４１５と、特定DMRS管理部４１７と、ePDCCH管理部４３１と、測定部４１９とを有する。測定部４１９は、CRS測定部４２１と、特定DMRS測定部４２３とを有する。
【０１５１】
受信部４０１は、制御部４０３からの指示に応じて、端末UE4が接続しているセルのダウンリンクを介して、報知情報又は個別制御情報等の制御情報を受信する。また、受信部４０１は、受信した制御情報を制御部４０３へ出力する。また、受信部４０１は、制御部４０３に含まれる測定部４１９のCRS測定部４２１からの指示に応じて、CRSを測定する。受信部４０１は、CRSの測定結果をCRS測定部４２１に送る。また、受信部４０１は、制御部４０３に含まれる測定部４１９の特定DMRS測定部４２３からの指示に応じて、DMRSを測定する。受信部４０１は、DMRSの測定結果を特定DMRS測定部４２３に送る。受信部４０１は、制御部４０３のセルID検出部４１３からの指示に応じて、同期信号を受信する。受信部４０１は、受信した同期信号をセルID検出部４１３に送る。
【０１５２】
制御部４０３は、受信部４０１に報知情報又は個別制御情報等の制御情報の受信を指示する。制御部４０３には、受信部４０１が受信した制御情報が入力される。制御部４０３に入力された制御情報に含まれるセルの受信電力の測定に関する情報は、制御部４０３の移動制御部４１１に入力される。制御部４０３は、移動制御部４１１から隣接セルの測定を指示されると、隣接セルの測定を開始する。
【０１５３】
以下、制御部４０３が有する各構成要素について説明する。
【０１５４】
移動制御部４１１は、端末UE4がアイドル状態のとき、制御部４０３から入力されたセル再選択に関する制御情報と、自セルと隣接セルの受信電力又は受信品質とに基づいて、隣接セルへの再選択を行うかを判定する。一方、移動制御部４１１は、端末UE4がコネクテッド状態のとき、制御部４０３から入力された測定設定と、自セルと隣接セルの受信電力又は受信品質とに基づいて、測定報告（Measurement Report）を作成する。移動制御部４１１が作成した測定報告は送信部４０５へ送られる。
【０１５５】
移動制御部４１１は、自セルのセルタイプがPDCCHを報知するセル（従来のセル）の場合、自セルの受信電力又は受信品質の測定を、測定部４１９のCRS測定部４２１に指示する。一方、移動制御部４１１は、自セルのセルタイプが「additional carrier typeのセル」の場合、自セルの受信電力又は受信品質の測定を、測定部４１９の特定DMRS測定部４２３に指示する。
【０１５６】
移動制御部４１１は、端末UE4がアイドル状態のとき、隣接セルを再選択したほうがよいと判定すると、当該判定結果を制御部４０３に出力する。一方、移動制御部４１１は、端末UE4がコネクテッド状態のとき、測定設定に基づき、測定報告を報告すると判定すると、測定報告を作成して送信部４０５に出力する。また、移動制御部４１１は、端末UE4がコネクテッド状態のとき、測定部４１９から入力された自セルの受信電力又は受信品質に基づき、隣接セルの測定を開始すると判定すると、セルID検出部４１３にセルの検出を指示する。
【０１５７】
セルID検出部４１３は、受信部に同期信号の受信を指示する。セルID検出部４１３は、受信部４０１から入力された同期信号に基づいて、隣接セルのセルIDを検出する。セルID検出部４１３は、検出したセルIDをセルタイプ判定部４１５に出力する。なお、セルID検出部４１３は、隣接セルのセルIDを検出するために必要な情報（例えば、セルIDに対応する検出信号）を制御部４０３から取得する。セルID検出部４１３は、その検出信号を検出するように受信部４０１に指示し、受信部４０１が受信した検出信号を基に隣接セルを検出してもよい。この場合、制御部４０３は、報知情報又は個別制御情報からセルIDに対応する検出信号を知る方法を備えていても良い。
【０１５８】
セルタイプ判定部４１５は、セルID検出部４１３が検出したセルIDのセルタイプが「additional carrier typeのセル」かPDCCHを報知する従来のセルかを判定する。セルタイプ判定部４１５は、セルIDのセルタイプが「additional carrier typeのセル」であると判定すると、セルIDをePDCCH管理部４３１に出力する。一方、セルタイプ判定部４１５は、セルIDのセルタイプが従来のセルであると判定すると、セルIDを測定部４１９のCRS測定部４２１に出力する。セルタイプ判定部４１５は、ePDCCH管理部４３１からePDCCHのリソースが入力されると、セルIDとePDCCHのリソースを特定DMRS管理部４１７に出力する。
【０１５９】
以下、セルタイプ判定部４１５が行うセルタイプの判定方法について説明する。セルタイプ判定部４１５は、以下に示す判定方法例のいずれかを実行することで、セルタイプを判定する。
【０１６０】
＜１つ目の判定方法例＞
セルタイプ判定部４１５は、周波数から「additional carrier typeのセル」か従来のセルかを判定する。
【０１６１】
＜２つ目の判定方法例＞
当該方法では、additional carrier typeのセルの同期信号が従来のセルの同期信号と異なる。すなわち、additional carrier typeのセルは、PSS（Primary Synchronization Signal）の系列をサブフレーム番号０とサブフレーム番号５において、反転した系列を用いる。したがって、additional carrier typeのセルであれば、サブフレーム番号０のPSSとサブフレーム番号５のPSSを加算するとゼロになり、減算すると２倍の大きさになる。一方、従来のセルであれば、サブフレーム番号０のPSSとサブフレーム番号５のPSSを加算すると２倍の大きさとなり、減算するとゼロになる。セルタイプ判定部４１５は、サブフレーム番号０のPSSとサブフレーム番号５のPSSを加算及び減算した各計算結果に基づいて、「additional carrier typeのセル」か従来のセルかを判定する。
【０１６２】
＜３つ目の判定方法例＞
当該方法では、additional carrier typeのセルの同期信号を、従来のセルの同期信号とは異なる位置のリソースに配置しておく。セルタイプ判定部４１５は、additional carrier typeのセルと従来のセルの両方の同期信号の検出を試みる。セルタイプ判定部４１５は、同期信号を検出できた場合に、検出した同期信号の位置によって、additional carrier typeのセルか従来のセルかを判定する。
【０１６３】
＜４つ目の判定方法例＞
セルタイプ判定部４１５は、MIB（Master Information Block）のCRC（Cyclic Redundancy Check）によって、additional carrier typeのセルか従来のセルかを判定する。additional carrier typeのセルは、MIBの報知に使用するリソースがREレベルで異なるように設定される。従来のセルにCRCを用いた場合、additional carrier typeのセルのMIBはエラーとなるため、セルタイプ判定部４１５はセルのタイプを判定できる。
【０１６４】
＜５つ目の判定方法例＞
当該方法では、additional carrier typeのセルか否かを示す情報が報知情報に含まれる。セルタイプ判定部４１５は、報知情報に含まれる情報に基づいて、additional carrier typeのセルか否かを判定する。なお、報知情報に含まれる情報は、additional carrier typeのセルであることを示すフラグでもよい。
【０１６５】
＜６つ目の判定方法例＞
当該方法では、隣接セルがadditional carrier typeのセルか否かを示す情報が報知情報に含まれる。なお、当該情報は、隣接セルの全てがadditional carrier typeのセルか否かを示すフラグでもよい。また、当該情報は、隣接セルの識別子毎にadditional carrier typeのセルか否かを示す隣接セルリストでもよい。また、セルタイプ判定部４１５は、状況に応じて、ネットワークがどちらを通知するかを判定してもよい。この場合、Choiceでネットワークが通知する方法を用いても良い。セルタイプ判定部４１５は、セルID検出部４１３が同期信号から検出したセルIDと隣接セルリストとを比較して、additional carrier typeのセルか否かを判定する。
【０１６６】
なお、セルタイプ判定部４１５は、上記以外の方法でセルのタイプを判定しても良い。
【０１６７】
測定部４１９のCRS測定部４２１は、セルIDが入力されると、予め設定されているセルIDに対応したCRSのリソースを受信部４０１に通知し、当該CRSを測定するよう受信部４０１に指示する。CRS測定部４２１は、受信部４０１から入力されたCRSの測定結果に基づいて受信電力又は受信品質を算出し、その算出結果を移動制御部４１１に出力する。
【０１６８】
ePDCCH管理部４３１は、セルIDが入力されると、当該セルIDに対応するePDCCHのリソースを導出する。なお、ePDCCH管理部４３１は、特定のDMRSを含むRB上のePDCCHのリソースのみをセルタイプ判定部４１５に出力する。なお、ePDCCHのリソースとは、特定のDMRSが配置されるリソースを特定DMRS管理部４１７が特定できる値であればなんでよい。例えば、RB番号でもよい。
【０１６９】
以下、ePDCCH管理部４３１によるePDCCHのリソースの導出方法について説明する。ePDCCH管理部４３１は、以下に示す導出方法のいずれかを実行することで、ePDCCHのリソースを特定する。
【０１７０】
＜１つ目の導出方法例＞
ePDCCH管理部４３１は、セルIDからePDCCHのリソースを導き出すためのテーブル又は計算式を保持する。ePDCCH管理部４３１は、テーブル又は計算式に基づいて、入力されたセルIDに対応するePDCCHのリソースを特定する。
【０１７１】
＜２つ目の導出方法例＞
当該例では、ePDCCHのリソースとしてセル間で同じリソースが使用されている。この場合、ePDCCH管理部４３１は、予め保持しているセル間で共通のePDCCHのリソースを特定する。
【０１７２】
＜３つ目の導出方法例＞
当該例では、自セルの報知情報に、自セルのePDCCHのリソース及び隣接セルのePDCCHのリソースが含まれる。この場合、ePDCCH管理部４３１は、自セルの報知情報を受信することにより、入力されたセルIDに対するePDCCHのリソースを特定する。
【０１７３】
＜４つ目の特定方法例＞
端末UE4が自セルとコネクテッド状態のとき、端末UE4は、自セルから送られた個別制御情報により、隣接セルのePDCCHのリソースに関する情報が通知される。この場合、ePDCCH管理部４３１は、自セルの個別制御情報を受信することにより、入力されたセルIDに対応するePDCCHのリソースを特定する。
【０１７４】
＜５つ目の特定方法例＞
ePDCCH管理部４３１は、ePDCCHのリソースを導き出すテーブル又は計算式を保持する。ePDCCH管理部４３１は、テーブル又は計算式より、ePDCCHが存在する可能性があるリソースのリストを導出する。特定DMRS管理部４１７は、ePDCCHが存在する可能性があるリソースのリストをブラインドデコーディングすることにより、ePDCCHのリソースを特定する。このようにすることで、自由度のあるePDCCHの配置が可能となる。
【０１７５】
なお、ePDCCH管理部４３１は、上記以外の方法を用いてePDCCHのリソースを特定してもよい。
【０１７６】
特定DMRS管理部４１７は、セルID及びePDCCHリソースが入力されると、ePDCCHのリソースで送られるRBにおいて、どのアンテナポートで特定のDMRSが送られるかを導出する。特定DMRS管理部４１７は、特定のDMRSを送信するアンテナポート番号を含むリソース情報とセルIDを特定DMRS測定部４２３に出力する。なお、特定DMRS管理部４１７は、SFBC（Space Frequency Block Code）を用いて受信するか否かを示す情報を特定DMRS測定部４２３に出力してもよい。
【０１７７】
以下、特定DMRS管理部４１７によるアンテナポートの特定方法について説明する。特定DMRS管理部４１７は、以下に示す特定方法のいずれかを実行することで、特定のDMRSが送られるアンテナポートを特定する。
【０１７８】
＜第１の特定方法例＞
当該例では、特定のDMRSが送られるアンテナポートが予め設定されている。特定DMRS管理部４１７には、例えば、アンテナポート７番を用いて特定のDMRSが送られると設定されている。これは、端末が少なくとも１レイヤーをサポートすることが考えられるため、additional carrier typeのセルに対応する端末は少なくともアンテナポート７のDMRSを受信できると考えられるためである。また、特定のアンテナポート番号は例えばアンテナポート８とする。これは、１レイヤーをサポートする端末はアンテナポート番号７と８の両方をサポートすることが考えられるためである。また、特定のアンテナポート番号は例えば、１０である。このようにすることで、第３の実施の形態のなおがきに記載のようにデータ領域におけるDMRSをプリコーディングせずに送る場合に、１レイヤーしかサポートしない端末は、指向性を持たせてデータを送ることができ、４レイヤーをサポートする端末が４レイヤー目で送られるデータの指向性がなくなる。すなわち、スループットをあげにくい端末のスループットを落とさずにすむ。また、設定されるアンテナポートは１つではなく、複数でも良い。例えば、アンテナポート７番と８番が予め設定される。また、例えば、アンテナポート７番と９番が予め設定される。
【０１７９】
＜第２の特定方法例＞
当該例では、特定のDMRSが送られるアンテナポート及びSFBC（Space Frequency Block Code）を用いるか否かが予め設定されている。特定のDMRS管理部には、例えば、アンテナポート７番とアンテナポート９番を用いて特定のDMRSが送信され、SFBCを用いて受信すると設定されている。こうすることで、送信ダイバーシチをとることができるため、端末UE4は、より精度の高い受信電力測定を行うことができる。
【０１８０】
＜第３の特定方法例＞
当該例では、報知情報又は個別制御情報により、特定のDMRSが送られるアンテナポート番号が設定されている。特定DMRS管理部４１７には、特定のDMRSが送られるアンテナポート番号が入力される。
【０１８１】
＜第４の特定方法例＞
当該例では、報知情報又は個別制御情報により、特定のDMRSが送られるアンテナポート番号及びSFBCを用いるか否かが設定されている。特定DMRS管理部４１７には、特定のDMRSが送られるアンテナポート番号及びSFBCを用いて受信するか否かが入力される。
【０１８２】
なお、特定DMRS管理部４１７は、上記以外の方法を用いて、特定のDMRSが送られるアンテナポート番号などを特定してもよい。
【０１８３】
測定部４１９の特定DMRS測定部４２３は、セルIDと特定のDMRSが送信されるアンテナポート番号を含むリソース情報とが入力されると、それらを受信部４０１に通知し、当該DMRSを測定するよう受信部４０１に指示する。特定DMRS測定部４２３は、SFBCを用いて受信するように特定DMRS管理部４１７から指示された場合、SFBCを用いて受信するよう受信部４０１に指示する。特定DMRS測定部４２３は、受信部４０１から入力されたDMRSの測定結果に基づいて受信電力又は受信品質を算出し、その算出結果を移動制御部４１１に出力する。
【０１８４】
送信部４０５は、ランダムアクセスプリアンブル、制御信号応答又はデータなどを送信する。また、送信部４０５は、無線通信装置NE41又はNE42へのＵＬパケットを、当該無線通信装置に対応する送信タイミングで送信する。
【０１８５】
［第４の実施形態の無線通信装置NE41の構成］
図１３は、第４の実施形態の無線通信システムを構成する無線通信装置NE41のブロック図である。図１３に示すように、第４の実施形態の無線通信装置NE41は、無線受信部４５１と、制御部４５３と、無線送信部４５５とを備える。制御部４５３は、特定DMRS管理部４６１を有する。
【０１８６】
無線受信部４５１は、端末UE4から送信されたランダムアクセスプリアンブル又は制御信号応答などを受信して、制御部４５３へ出力する。また、無線受信部４５１は、端末UE4から送信されたＵＬパケットを受信して、制御部４５３へ出力する。
【０１８７】
制御部４５３は、無線通信装置NE41が提供するセルを「additional carrier typeのセル」として運用する場合、端末UE4が検知できる方法を用いて、特定のDMRSを含むRBで送られるePDCCHのリソース及び特定のDMRSを送るアンテナポートを決定する。制御部４５３は、当該決定したePDCCHのリソースに関する情報及びアンテナポート番号を特定DMRS管理部４６１に出力する。また、制御部４５３は、特定のDMRSに対して全端末向けのプリコーディングを行う指示又は特定のDMRSにプリコーディングを行わない指示を特定DMRS管理部４６１に送る。制御部４５３は、報知情報を生成し、無線送信部４５５へ出力する。制御部４５３は、特定のDMRSを用いる場合、当該特定のDMRSに対応するパケットに全端末向けのプリコーディングを行って、無線送信部４５５に出力する。制御部４５３は、ランダムアクセスプリアンブルに対応するランダムアクセス応答を生成し、無線送信部４５５に出力する。制御部４５３は、端末毎に個別制御情報を生成し、無線送信部４５５に出力する。
【０１８８】
特定DMRS管理部４６１は、制御部４５３から入力されたePDCCHのリソースが送られるRBにおいて、指示されたアンテナポートのDMRSを特定のDMRSとして使用する。また、特定DMRS管理部４６１は、制御部４５３からの指示に応じて、特定のDMRSに全端末向けのプリコーディングを行うかプリコーディングを行わずに、当該特定のDMRSを無線送信部４５５へ出力する。
【０１８９】
無線送信部４５５は、特定DMRS管理部４６１から入力された特定のDMRSを端末UE4に送信する。無線送信部４５５は、制御部４５３から入力されたデータ、報知情報、個別制御情報又はランダムアクセス応答などを端末UE4に送信する。
【０１９０】
（第４の実施形態における端末UE4のセル再選択方法）
以下、図１４を参照して、アイドル状態の端末UE4がセル再選択（Cell Reselection）を行う際の動作について説明する。図１４は、第４の実施形態の無線通信システムにおいて、アイドル状態の端末UE4がセル再選択（Cell Reselection）を行う際のフローチャートである。なお、図１４では、第２の実施形態で図９に示したステップと同じ処理のステップには同じ符号が付されている。端末UE4は、無線通信装置NE41が提供するセル（自セル）に接続し、アイドル状態である。
【０１９１】
図１４に示すように、端末UE4は、自セルからの報知情報により、セル再選択の基準などを取得する（ステップＳ１０１）。次に、端末UE4は、隣接セルのセルIDを検出する（ステップＳ１０２）。次に、端末UE4は、隣接セルが「additional carrier typeのセル」であるか否かを判定する（ステップＳ１０４）。このとき、例えば、端末UE4は、ブラインドデコーディングにより、additional carrier type用のセルID検出方法と従来のセルID検出方法の両方をステップＳ１０２で試す。端末UE4は、どちらの方法でセルIDが検出されたかにより、additional carrier typeのセルか否かを判定する。また、端末UE4は、additional carrier typeのセルであると判定してから、当該セルのセルIDの検出を試みても良い。
【０１９２】
ステップＳ１０４で、additional carrier typeのセルであると判定された場合（すなわち、Yesである場合）はステップＳ４０５に進み、additional carrier typeのセルでないと判定された場合（すなわち、Noである場合）はステップＳ１０７に進む。ステップＳ４０５では、端末UE4は、ePDCCHが送られるRB及び特定のDMRSが送られるアンテナポートを特定する。次に、端末UE4は、特定のアンテナポートを用いて、ePDCCHが送られるRBに含まれる特定のDMRSを使用して、受信電力の測定を行う（ステップＳ４０６）。一方、ステップＳ１０７では、端末UE4は、CRSが送られるリソースをセルIDから特定する。次に、端末UE4は、特定したセルIDのリソースで送られるCRSを使用して受信電力の測定を行う（ステップＳ１０８）。
【０１９３】
端末UE4は、ステップＳ４０６又はＳ１０８で受信電力の測定に成功するとステップＳ１０９に進む。ステップＳ１０９では、端末UE4は、受信電力の測定結果に基づいて、セル再選択を行う。
【０１９４】
このように、端末UE4は、ePDCCHが送られるRBにおいて、特定のアンテナポートを用いて特定のDMRSを測定するため、使用しないアンテナポートを別の用途に使用できる。このため、リソースを効率的に使用することができる。なお、ステップＳ４０６において、SFBCを用いて特定のDMRSを受信する場合、送信ダイバーシチ効果を得ることができる。その結果、受信電力の測定精度を高めることができる。また、上記と同様の方法を用いて、コネクテッド状態の端末UE4が移動制御を行っても良い。すなわち、ステップＳ１０９において、端末UE４は、受信電力の測定結果に基づいて測定結果報告を作成する。
【０１９５】
また、本実施の形態は他の実施の形態と組み合わせて使用することができる。
【０１９６】
以上説明したように、本実施形態によれば、端末UE4は、ePDCCHが送られるRBにおいて、特定のアンテナポートを用いて特定のDMRSを測定する。このため、使用しないアンテナポートは、特定の端末向けのプリコーディングを用いたDMRSの送信に利用可能である。その結果、同一RB上のePDCCH又はデータを指向性を持たせて送ることができ、リソースを効率的に使用できる。また、使用しないアンテナポートのDMRSのリソースにおいて、DMRSを送信せずにePDCCH又はデータを送信することもできる。
【０１９７】
（第５の実施形態）
図１５〜図１８を参照して、第５の実施形態の無線通信システムについて説明する。第５の実施形態の無線通信システムが第４の実施形態の無線通信システムと異なる点は、特定のアンテナポートで送信される特定のDMRSを用いて共通サーチスペース（Common Search Space）のデータを復号し、特定のアンテナポートを含むアンテナポートからＵＥ個別サーチスペースに使用するDMRSを選択し、当該ＤＭＲＳを用いてＵＥ個別サーチスペース（UE specific Search Space）のデータを復号する点である。この点以外は第４の実施形態と同様である。
【０１９８】
端末UE5は、第４の実施形態に記載の方法を用いて、セルタイプの判定及びePDCCHのリソースの特定を行う。さらに、端末UE5は、ePDCCH領域にある共通サーチスペース（Common Search Space）とＵＥ個別サーチスペース（UE specific Search Space）とをブラインドデコーディング（BD：Blind Decoding）することで、データ領域で送られる端末UE5が受信するパケットのリソースを知る。
【０１９９】
図１５は、第５の無線通信システムにおいて、端末UE5がePDCCHを復号する際のタイミングチャートの一例を示す図である。図１５に示すように、端末UE5は、無線通信装置NE51から報知情報を取得する（Ｔ５０１）。端末UE5は、無線通信装置NE51配下のセルに接続し、コネクテッド状態となる（Ｔ５０２）。このとき、端末UE5は、ＵＥ個別サーチスペース（UE specific Search Space）の復号に使用するDMRSが送信されるアンテナポートの設定を無線通信装置NE1から取得するまでの間、デフォルトで設定されるアンテナポート番号のアンテナポートで送られるDMRSを用いて、ＵＥ個別サーチスペース（UE specific Search Space）の復号を行う（Ｔ５０３）。なお、デフォルト値は、共通サーチスペース（Common Search Space）と同じアンテナポート番号でもよいし、予め端末UE5に設定されてもよく、報知情報に含まれていてもよい。
【０２００】
次に、端末UE5は、無線通信装置NE51から個別制御情報が送られているリソースを発見し、個別制御情報を取得する（Ｔ５０４）。端末UE5は、個別制御情報から、ＵＥ個別サーチスペース（UE specific Search Space）に使用するDMRSのアンテナポート番号を取得する（Ｔ５０５）。端末UE5は、個別制御情報が示すアンテナポートで受信したDMRSを用いて共通サーチスペース（Common Search Space）をブラインド復号する（Ｔ５０６）。
【０２０１】
なお、個別制御情報とは、RRCでもよいし、MACCEでもよい。また、ＵＥ個別サーチスペース（UE specific Search Space）の復号に使用するDMRSのアンテナポートはePDCCH毎に変えても良いし、ePDCCHのグループ毎に変えても良い。グループとは例えば、Distributed ePDCCHを構成するePDCCHである。
【０２０２】
［第５の実施形態の端末UE5の構成］
図１６は、第５の実施形態の無線通信システムを構成する端末UE5のブロック図である。図１６に示すように、第５の実施形態の端末UE5は、受信部５０１と、制御部５０３と、送信部５０５とを備える。制御部５０３は、移動制御部５１１と、セルID検出部５１３と、セルタイプ判定部５１５と、特定DMRS管理部５１７と、ePDCCH管理部５３１と、CSS復号部５４１と、UESS復号部５４３と、測定部５１９とを有する。測定部５１９は、CRS測定部５２１と、特定DMRS測定部５２３とを有する。
【０２０３】
受信部５０１は、制御部５０３からの指示に応じて、端末UE5が接続しているセルのダウンリンクを介して、報知情報又は個別制御情報等の制御情報を受信する。また、受信部５０１は、受信した制御情報を制御部５０３へ出力する。また、受信部５０１は、制御部５０３に含まれる測定部５１９のCRS測定部５２１からの指示に応じて、CRSを測定する。受信部５０１は、CRSの測定結果をCRS測定部５２１に送る。また、受信部５０１は、制御部５０３に含まれる測定部５１９の特定DMRS測定部５２３からの指示に応じて、DMRSを測定する。受信部５０１は、DMRSの測定結果を特定DMRS測定部５２３に送る。受信部５０１は、制御部５０３のセルID検出部５１３からの指示に応じて、同期信号を受信する。受信部５０１は、受信した同期信号をセルID検出部５１３に出力する。受信部５０１は、受信したePDCCHのリソース及び測定したDMRSをCSS復号部５４１とUESS復号部５４３とに出力する。なお、CSS復号部５４１はブラインドデコーディングを行った後に、UESS復号部５４３にePDCCHのリソース及びDMRSを出力してもよい。
【０２０４】
制御部５０３は、受信部５０１に報知情報又は個別制御情報等の制御情報の受信を指示する。制御部５０３には、受信部５０１が受信した制御情報が入力される。制御部５０３に入力された制御情報に含まれるセルの受信電力の測定に関する情報は、制御部５０３の移動制御部５１１に入力される。制御部５０３は、移動制御部５１１から隣接セルの測定を指示されると、隣接セルの測定を開始する。また、制御部５０３は、ＵＥ個別サーチスペースの復号に使用するアンテナポート番号情報をUESS復号部５４３に出力する。アンテナポート番号情報は、特定DMRS管理部５１７から出力された情報、予め保持している情報、又は個別制御情報から取得した情報である。なお、ＵＥ個別サーチスペースの復号に使用するアンテナポート番号情報は、RBの中におけるデータの位置に応じてアンテナポート番号を決定できるテーブルでもよいし、アンテナポート番号自体でもよいし、アンテナポート番号とSFBCを使用するかしないかでもよいし、他の情報でもよい。
【０２０５】
以下、制御部５０３が有する各構成要素について説明する。
【０２０６】
移動制御部５１１は、端末UE5がアイドル状態のとき、制御部５０３から入力されたセル再選択に関する制御情報と、自セルと隣接セルの受信電力又は受信品質とに基づいて、隣接セルへの再選択を行うかを判定する。一方、移動制御部５１１は、端末UE5がコネクテッド状態のとき、制御部５０３から入力された測定設定と、自セルと隣接セルの受信電力又は受信品質とに基づいて、測定報告（Measurement Report）を作成する。移動制御部５１１が作成した測定報告は送信部５０５へ送られる。
【０２０７】
移動制御部５１１は、自セルのセルタイプがPDCCHを報知するセル（従来のセル）の場合、自セルの受信電力又は受信品質の測定を、測定部５１９のCRS測定部５２１に指示する。一方、移動制御部５１１は、自セルのセルタイプが「additional carrier typeのセル」の場合、自セルの受信電力又は受信品質の測定を、測定部５１９の特定DMRS測定部５２３に指示する。
【０２０８】
移動制御部５１１は、端末UE5がアイドル状態のとき、隣接セルを再選択したほうがよいと判定すると、当該判定結果を制御部５０３に出力する。一方、移動制御部５１１は、端末UE5がコネクテッド状態のとき、測定設定に基づき、測定報告を報告すると判定すると、測定報告を作成して送信部５０５に出力する。また、移動制御部５１１は、端末UE5がコネクテッド状態のとき、測定部５１９から入力された自セルの受信電力又は受信品質に基づき、隣接セルの測定を開始すると判定すると、セルID検出部５１３にセルの検出を指示する。
【０２０９】
セルID検出部５１３は、受信部に同期信号の受信を指示する。セルID検出部５１３は、受信部から入力された同期信号に基づいて、隣接セルのセルIDを検出する。セルID検出部５１３は、検出したセルIDをセルタイプ判定部５１５に出力する。なお、セルID検出部５１３は、隣接セルのセルIDを検出するために必要な情報（例えば、セルIDに対応する検出信号）を制御部５０３から取得する。セルID検出部５１３は、その検出信号を検出するように受信部に指示し、受信部が受信した検出信号を基に隣接セルを検出してもよい。この場合、制御部５０３は、報知情報又は個別制御情報からセルIDに対応する検出信号を知る方法を備えていても良い。
【０２１０】
セルタイプ判定部５１５は、セルID検出部５１３が検出したセルIDのセルタイプが「additional carrier typeのセル」かPDCCHを報知する上記従来のセルか判定する。セルタイプ判定部５１５は、セルIDのセルタイプが「additional carrier typeのセル」であると判定すると、セルIDをePDCCH管理部５３１に出力する。一方、セルタイプ判定部５１５は、セルIDのセルタイプが従来のセルであると判定すると、セルIDを測定部５１９のCRS測定部５２１に出力する。セルタイプ判定部５１５は、ePDCCH管理部５３１からePDCCHのリソースが入力されると、セルIDとePDCCHのリソースを特定DMRS管理部５１７に出力する。
【０２１１】
以下、セルタイプ判定部５１５が行うセルタイプの判定方法について説明する。セルタイプ判定部５１５は、以下に示す判定方法例のいずれかを実行することで、セルタイプを判定する。
【０２１２】
＜１つ目の判定方法例＞
セルタイプ判定部５１５は、周波数から「additional carrier typeのセル」か従来のセルかを判定する。
【０２１３】
＜２つ目の判定方法例＞
当該方法では、additional carrier typeのセルの同期信号が従来のセルの同期信号と異なる。すなわち、additional carrier typeのセルは、PSS（Primary Synchronization Signal）の系列をサブフレーム番号０とサブフレーム番号５において、反転した系列を用いる。したがって、additional carrier typeのセルであれば、サブフレーム番号０のPSSとサブフレーム番号５のPSSを加算するとゼロになり、減算すると２倍の大きさになる。一方、従来のセルであれば、サブフレーム番号０のPSSとサブフレーム番号５のPSSを加算すると２倍の大きさとなり、減算するとゼロになる。セルタイプ判定部５１５は、サブフレーム番号０のPSSとサブフレーム番号５のPSSを加算及び減算した各計算結果に基づいて、「additional carrier typeのセル」か従来のセルかを判定する。
【０２１４】
＜３つ目の判定方法例＞
当該方法では、additional carrier typeのセルの同期信号を、従来のセルの同期信号とは異なる位置のリソースに配置しておく。セルタイプ判定部５１５は、additional carrier typeのセルと従来のセルの両方の同期信号の検出を試みる。セルタイプ判定部５１５は、同期信号を検出できた場合に、検出した同期信号の位置によって、additional carrier typeのセルか従来のセルかを判定する。
【０２１５】
＜４つ目の判定方法例＞
セルタイプ判定部５１５は、MIB（Master Information Block）のCRC（Cyclic Redundancy Check）によって、additional carrier typeのセルか従来のセルかを判定する。additional carrier typeのセルは、MIBの報知に使用するリソースがREレベルで異なるように設定される。従来のセルにCRCを用いた場合、additional carrier typeのセルのMIBはエラーとなるため、セルタイプ判定部５１５はセルのタイプを判定できる。
【０２１６】
＜５つ目の判定方法例＞
当該方法では、additional carrier typeのセルか否かを示す情報が報知情報に含まれる。セルタイプ判定部５１５は、報知情報に含まれる情報に基づいて、additional carrier typeのセルか否かを判定する。なお、報知情報に含まれる情報は、additional carrier typeのセルであることを示すフラグでもよい。
【０２１７】
＜６つ目の判定方法例＞
当該方法では、隣接セルがadditional carrier typeのセルか否かを示す情報が報知情報に含まれる。なお、当該情報は、隣接セルの全てがadditional carrier typeのセルか否かを示すフラグでもよい。また、当該情報は、隣接セルの識別子毎にadditional carrier typeのセルか否かを示す隣接セルリストでもよい。また、セルタイプ判定部５１５は、状況に応じて、ネットワークがどちらを通知するかを判定してもよい。この場合、Choiceでネットワークが通知する方法を用いても良い。セルタイプ判定部５１５は、セルID検出部５１３が同期信号から検出したセルIDと隣接セルリストとを比較して、additional carrier typeのセルか否かを判定する。
【０２１８】
なお、セルタイプ判定部５１５は、上記以外の方法でセルのタイプを判定しても良い。
【０２１９】
測定部５１９のCRS測定部５２１は、セルIDが入力されると、予め設定されているセルIDに対応したCRSのリソースを受信部５０１に通知し、当該CRSを測定するよう受信部５０１に指示する。CRS測定部５２１は、受信部５０１から入力されたCRSの測定結果に基づいて受信電力又は受信品質を算出し、その算出結果を移動制御部５１１に出力する。
【０２２０】
ePDCCH管理部５３１は、セルIDが入力されると、当該セルIDに対応するePDCCHのリソースを導出する。なお、ePDCCH管理部５３１は、特定のDMRSを含むRB上のePDCCHのリソースのみをセルタイプ判定部５１５に出力する。なお、ePDCCHのリソースとは、特定のDMRSが配置されるリソースを特定DMRS管理部５１７が特定できる値であればなんでよい。例えば、RB番号でもよい。
【０２２１】
以下、ePDCCH管理部５３１によるePDCCHのリソースの導出方法について説明する。ePDCCH管理部５３１は、以下に示す導出方法のいずれかを実行することで、ePDCCHのリソースを特定する。
【０２２２】
＜１つ目の導出方法例＞
ePDCCH管理部５３１は、セルIDからePDCCHのリソースを導き出すためのテーブル又は計算式を保持する。ePDCCH管理部５３１は、テーブル又は計算式に基づいて、入力されたセルIDに対応するePDCCHのリソースを特定する。
【０２２３】
＜２つ目の導出方法例＞
当該例では、ePDCCHのリソースとしてセル間で同じリソースが使用されている。この場合、ePDCCH管理部５３１は、予め保持しているセル間で共通のePDCCHのリソースを特定する。
【０２２４】
＜３つ目の導出方法例＞
当該例では、自セルの報知情報に、自セルのePDCCHのリソース及び隣接セルのePDCCHのリソースが含まれる。この場合、ePDCCH管理部５３１は、自セルの報知情報を受信することにより、入力されたセルIDに対するePDCCHのリソースを特定する。
【０２２５】
＜４つ目の特定方法例＞
端末UE5が自セルとコネクテッド状態のとき、端末UE5は、自セルから送られた個別制御情報により、隣接セルのePDCCHのリソースに関する情報が通知される。この場合、ePDCCH管理部５３１は、自セルの個別制御情報を受信することにより、入力されたセルIDに対応するePDCCHのリソースを特定する。
【０２２６】
＜５つ目の特定方法例＞
ePDCCH管理部５３１は、ePDCCHのリソースを導き出すテーブル又は計算式を保持する。ePDCCH管理部５３１は、テーブル又は計算式より、ePDCCHが存在する可能性があるリソースのリストを導出する。特定DMRS管理部５１７は、ePDCCHが存在する可能性があるリソースのリストをブラインドデコーディングすることにより、ePDCCHのリソースを特定する。このようにすることで、自由度のあるePDCCHの配置が可能となる。
【０２２７】
なお、ePDCCH管理部５３１は、上記以外の方法を用いてePDCCHのリソースを特定してもよい。
【０２２８】
特定DMRS管理部５１７は、セルID及びePDCCHリソースが入力されると、ePDCCHのリソースで送られるRBにおいて、どのアンテナポートで特定のDMRSが送られるかを導出する。特定DMRS管理部５１７は、特定のDMRSを送信するアンテナポート番号を含むリソース情報とセルIDを特定DMRS測定部５２３に出力する。なお、特定DMRS管理部５１７は、SFBC（Space Frequency Block Code）を用いて受信するか否かを示す情報を特定DMRS測定部５２３に出力してもよい。また、特定DMRS管理部５１７は、特定のDMRSを送信するアンテナポート番号をCSS復号部５４１に出力する。
【０２２９】
以下、特定DMRS管理部５１７によるアンテナポートの特定方法について説明する。特定DMRS管理部５１７は、以下に示す特定方法のいずれかを実行することで、特定のDMRSが送られるアンテナポートを特定する。
【０２３０】
＜第１の特定方法例＞
当該例では、特定のDMRSが送られるアンテナポートが予め設定されている。特定DMRS管理部５１７には、例えば、アンテナポート７番を用いて特定のDMRSが送られると設定されている。
【０２３１】
＜第２の特定方法例＞
当該例では、特定のDMRSが送られるアンテナポート及びSFBC（Space Frequency Block Code）を用いるか否かが予め設定されている。特定のDMRS管理部には、例えば、アンテナポート７番とアンテナポート９番を用いて特定のDMRSが送信され、SFBCを用いて受信すると設定されている。
【０２３２】
＜第３の特定方法例＞
当該例では、報知情報又は個別制御情報により、特定のDMRSが送られるアンテナポート番号が設定されている。特定DMRS管理部５１７には、特定のDMRSが送られるアンテナポート番号が入力される。
【０２３３】
＜第４の特定方法例＞
当該例では、報知情報又は個別制御情報により、特定のDMRSが送られるアンテナポート番号及びSFBCを用いるか否かが設定されている。特定DMRS管理部５１７には、特定のDMRSが送られるアンテナポート番号及びSFBCを用いて受信するか否かが入力される。
【０２３４】
なお、特定DMRS管理部５１７は、上記以外の方法を用いて、特定のDMRSが送られるアンテナポート番号などを特定してもよい。
【０２３５】
測定部５１９の特定DMRS測定部５２３は、セルIDと特定のDMRSが送信されるアンテナポート番号を含むリソース情報とが入力されると、それらを受信部５０１に通知し、当該DMRSを測定するよう受信部５０１に指示する。特定DMRS測定部５２３は、SFBCを用いて受信するように特定DMRS管理部５１７から指示された場合、SFBCを用いて受信するよう受信部５０１に指示する。特定DMRS測定部５２３は、受信部５０１から入力されたDMRSの測定結果に基づいて受信電力又は受信品質を算出し、その算出結果を移動制御部５１１に出力する。
【０２３６】
CSS復号部５４１は、制御部５０３からの指示に応じて、共通サーチスペースのブラインド復号を行う。CSS復号部５４１は、特定DMRS管理部５１７から入力されたアンテナポート番号のDMRSを用いて、受信部５０１から入力されたePDCCHの共通サーチスペースのデータを復号する。CSS復号部５４１は、復号したデータに端末UE5が受信すべき制御情報が送られている場合、制御部５０３に出力する。
【０２３７】
UESS復号部５４３は、ＵＥ個別サーチスペースを復号するためのDMRSが送信されるアンテナポート番号が入力される。UESS復号部５４３は、受信部５０１又はCSS復号部５４１から入力されるDMRSのうち、入力された特定のアンテナポート番号のDMRSを用いて、受信部５０１から入力されたePDCCHのＵＥ個別サーチスペースのデータを復号する。UESS復号部５４３は、端末UE5宛の制御情報が送られている場合、制御部５０３に出力する。
【０２３８】
送信部５０５は、ランダムアクセスプリアンブル、制御信号応答又はデータなどを送信する。また、送信部５０５は、無線通信装置NE51へのＵＬパケットを、当該無線通信装置に対応する送信タイミングで送信する。
【０２３９】
［第５の実施形態の無線通信装置NE51の構成］
図１７は、第５の実施形態の無線通信システムを構成する無線通信装置NE51のブロック図である。図１７に示すように、第５の実施形態の無線通信装置NE51は、無線受信部５５１と、制御部５５３と、無線送信部５５５とを備える。制御部５５３は、特定DMRS管理部５６１を有する。
【０２４０】
無線受信部５５１は、端末UE5から送信されたランダムアクセスプリアンブル又は制御信号応答などを受信して、制御部５５３へ出力する。また、無線受信部５５１は、端末UE5から送信されたＵＬパケットを受信して、制御部５５３へ出力する。
【０２４１】
制御部５５３は、無線通信装置NE51が提供するセルを「additional carrier typeのセル」として運用する場合、端末UE5が検知できる方法を用いて、特定のDMRSを含むRBで送られるePDCCHのリソース及び特定のDMRSを送るアンテナポートを決定する。制御部５５３は、当該決定したePDCCHのリソースに関する情報及びアンテナポート番号を特定DMRS管理部５６１に出力する。また、制御部５５３は、特定のDMRSに対して全端末向けのプリコーディングを行う指示又は特定のDMRSにプリコーディングを行わない指示を特定DMRS管理部５６１に送る。制御部５５３は、報知情報を生成し、無線送信部５５５へ出力する。制御部５５３は、特定のDMRSを用いる場合、当該特定のDMRSに対応するパケットに全端末向けのプリコーディングを行い、又は、当該特定のDMRSに対応するパケットにプリコーディングを行わずに、無線送信部５５５に出力する。制御部５５３は、ランダムアクセスプリアンブルに対応するランダムアクセス応答を生成し、無線送信部５５５に出力する。制御部５５３は、端末毎にＵＥ個別サーチスペースの復号に使用するDMRSを送信するアンテナポート番号情報を含む個別制御情報を生成し、無線送信部５５５に出力する。制御部５５３は、ePDCCHの共通サーチスペースは、全端末向けのプリコーディングを行い、あるいは、プリコーディングを行わずに制御情報を生成する。制御部５５３は、ePDCCHのＵＥ個別サーチスペースは、端末が復号に使用するアンテナポートで送るDMRSと同じプリコーディングで制御情報を生成する。制御部５５３は、それらの制御情報を無線送信部５５５に出力する。
【０２４２】
特定DMRS管理部５６１は、制御部５５３から入力されたePDCCHのリソースが送られるRBにおいて、指示されたアンテナポートのDMRSを特定のDMRSとして使用する。また、特定DMRS管理部５６１は、制御部５５３からの指示に応じて、特定のDMRSに全端末向けのプリコーディングを行って、又は、特定のDMRSにプリコーディングを行わないようにして、当該特定のDMRSを無線送信部５５５へ出力する。
【０２４３】
無線送信部５５５は、特定DMRS管理部５６１から入力された特定のDMRSを端末UE5に送信する。無線送信部５５５は、制御部５５３から入力されたデータ、報知情報、個別制御情報又はランダムアクセス応答などを端末UE5に送信する。
【０２４４】
（端末UE5の動作）
以下、図１８を参照して、コネクテッド状態の端末UE5の動作について説明する。図１８は、第５の実施形態の無線通信システムにおいて、コネクテッド状態の端末UE5の動作を示すフローチャートである。図１５に示すように、端末UE5は、無線通信装置NE51とコネクテッド状態である（ステップＳ５０１）。端末UE5は、ePDCCHの共通サーチスペースのデータの復号を試みるか否かを判定する（ステップＳ５０２）。
【０２４５】
ステップＳ５０２で、ePDCCHの共通サーチスペースのデータの復号を試みると判定された場合（すなわち、Yesの場合）はステップＳ５０３に進み、試みないと判定された場合（すなわち、Noの場合）はステップＳ５０４に進む。ステップＳ５０３では、端末UE5は、特定のアンテナポートで送られた特定のDMRSを用いて、共通サーチスペースをブラインド復号する。ステップＳ５０４では、端末UE5は、ePDCCHのＵＥ個別サーチスペースのデータの復号を試みるか否かを判定する。
【０２４６】
ステップＳ５０４で、ＵＥ個別サーチスペースのデータの復号を試みると判定された場合（すなわち、Yesの場合）はステップＳ５０５に進む。ステップＳ５０５では、端末UE5は、上位層で指示されたアンテナポート番号のアンテナポートで送られたDMRSを用いて、ＵＥ個別サーチスペースをブラインド復号する。ステップＳ５０５で端末UE5がデータを復号した結果、制御情報が得られると、端末UE5は、当該制御情報に基づいてデータを受信する。以上のようにして、端末UE5は、ePDCCHをブラインド復号することができる。
【０２４７】
以上説明したように、本実施形態によれば、端末UE5は、特定のDMRSをePDCCHの共通サーチスペースのデータの復号に使用し、ePDCCHのUE個別サーチスペースのデータの復号のためには、特定のDMRSが送られるアンテナポート以外のアンテナポートのDMRSを使用する。こうすることで、参照信号の数を増やさずに、１つの参照信号で、移動制御及び共通サーチスペースの復号が可能である。さらに、アンテナポートで用途を分けることにより、ePDCCHのＵＥ個別サーチスペースに対しては、指向性をもたせておくることができる。このため、リソースの有効活用を行うことができる。
【０２４８】
なお、ePDCCH上のリソースとアンテナポートを１対１にマッピングしてもよい。
【０２４９】
（第６の実施形態）
第６の実施形態の無線通信システムについて説明する。第６の実施形態の無線通信システムでは、無線通信装置は特定のリソースでのみCRSを送信する。そして、端末は特定のリソースを用いて、移動制御のための測定を行う。特定のリソースの例としては以下があげられる。
【０２５０】
１つ目の例は、OFDM１シンボル目でのみCRSを送信する。これは、MBSFNサブフレームを考えると、OFDM１シンボル目だけで移動制御の測定を行っていたため、端末の実装が容易になる。また、OFDM１シンボル目だけなので、セル間での干渉制御を従来よりも行いやすくなる。また、端末はadditional carrier typeのセルか従来のセルかを気にせずにOFDM１シンボル目だけを測定するため、端末にかかる負荷を増やさずに測定することができる。
【０２５１】
２つ目の例は、特定のアンテナポート（例えば、アンテナポート１）のみでCRSを送る方法である。このようにすることで、周波数平均、時間平均ともにとることができるため、移動制御のための測定の精度を維持することができる。
【０２５２】
（第７の実施形態）
第７の実施形態の無線通信システムについて説明する。第７の実施形態の無線通信システムでは、無線通信装置はセルIDに応じて特定のCSI-RSを送信するようにする。端末は、特定のCSI-RSを用いて移動制御のための測定を行う。このようにすることで、CSI-RSを送信しないサブフレームなどが存在するが、CRSよりも、CSI-RSのほうが送信間隔が数m秒と長いため、セル間で干渉を避けるようにセルIDと紐付けることができる。
【０２５３】
（第８の実施形態）
第８の実施形態の無線通信システムについて説明する。第８の実施形態の無線通信システムでは、無線通信装置は、報知情報で自セル及び隣接セルのCSI-RSの配置を通知する。端末は、自セルから報知情報を受信すると、自セル及び隣接セルのCSI-RSの配置がわかるため、それらのCSI-RSを用いて移動制御のための測定を行う。なお、報知情報に含める隣接セルのCSI-RSの配置情報は、同一周波数の隣接セルのCSI-RSの配置情報のみで、異なる周波数の隣接セルのCSI-RSの配置情報は含めなくても良い。この場合、端末は、異なる周波数の隣接セルの測定を行いたい場合、異なる周波数のいずれか一つのセルの報知情報を取得することによって、当該周波数のセルのCSI-RSの配置情報を知ることができる。端末は、その情報をもとに、当該周波数のセルの受信電力を測定する。こうすることで、報知情報に他周波数のセルのCSI-RSの配置情報を含まなくてもよいため、報知情報のサイズを小さくできる。
【０２５４】
なお、この方法は上記実施形態においても適用することができる。すなわち、自セルの報知情報が、隣接セルの特定のDMRSの配置情報又はePDCCHの配置情報を含む。
【０２５５】
なお、上記各実施形態では、ePDCCHが送られるRBのDMRSという表現をしていたが、RBよりも小さな単位でもよい。例えば、ePDCCHが送られるサブキャリアで送られるDMRSと読みかえてもよい。
【０２５６】
また、上記各実施形態では、ePDCCHが送られるRBのDMRSは、RBが周波数軸上の１５サブキャリアと時間軸上の１サブフレームによって構成される場合を記載している。しかし、１サブフレームではなく、スロットと読み替えてもよい。ePDCCHが送られるサブキャリアにおける同じスロット上で送られるDMRSと読み替えてもよい。また、１サブフレームではなく、単数又は複数のOFDMシンボルと読み替えても良い。このようにすることで、プリコーディングされないで送られるDMRSの数をより減らすことができる。
【０２５７】
上記各実施形態では、本発明をハードウェアで構成する場合を例にとって説明したが、本発明はハードウェアとの連携においてソフトウェアで実現することも可能である。
【０２５８】
また、上記各実施形態の説明に用いた各機能ブロックは、典型的には集積回路であるＬＳＩとして実現される。これらは個別に１チップ化されても良いし、一部又は全てを含むように１チップ化されても良い。ここでは、ＬＳＩとしたが、集積度の違いにより、ＩＣ、システムＬＳＩ、スーパーＬＳＩ、ウルトラＬＳＩと呼称されることもある。
【０２５９】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０２６０】
さらには、半導体技術の進歩又は派生する別技術によりＬＳＩに置き換わる集積回路化の技術が登場すれば、当然、その技術を用いて機能ブロックの集積化を行っても良い。バイオ技術の適用等が可能性としてありえる。
【０２６１】
なお、上記実施形態ではアンテナとして説明したが、アンテナポートでも同様に適用できる。アンテナポート（Antenna port）とは、１本又は複数の物理アンテナから構成される論理的なアンテナを指す。すなわち、アンテナポートは必ずしも１本の物理アンテナを指すとは限らず、複数のアンテナから構成されるアレイアンテナ等を指すことがある。例えばＬＴＥ（Long Term Evolution）においては、アンテナポートが何本の物理アンテナから構成されるかは規定されず、基地局が異なる参照新号（Reference signal）を送信できる最小単位として規定されている。また、アンテナポートは、プリコーディング・ベクトル（Precoding vector）の重み付けを乗算する最小単位として規定されることもある。
【０２６２】
本発明を詳細にまた特定の実施態様を参照して説明したが、本発明の精神と範囲を逸脱することなく様々な変更や修正を加えることができることは当業者にとって明らかである。
【０２６３】
本出願は、2012年2月29日出願の日本特許出願（特願2012-044347）に基づくものであり、その内容はここに参照として取り込まれる。
【産業上の利用可能性】
【０２６４】
本発明に係る無線通信装置は、無線通信端末が通信セルからの受信電力を測定するための参照信号を送信する基地局等として有用である。
【符号の説明】
【０２６５】
UE1,UE2,UE3,UE4,UE5  無線通信端末
NE11,NE12,NE21,NE22,NE3,NE41,NE42,NE51  無線通信装置
１０１，２０１，４０１，５０１  受信部
１０３，２０３，４０３，５０３  制御部
１０５，２０５，４０５，５０５  送信部
１１１，２１１，４１１，５１１  移動制御部
１１３，２１３，４１３，５１３  セルID検出部
１１５，２１５，４１５，５１５  セルタイプ判定部
１１７，２１７，４１７，５１７  特定DMRS管理部
１１９，２１９，４１９，５１９  測定部
１２１，２２１，４２１，５２１  CRS測定部
１２３，２２３，４２３，５２３  特定DMRS測定部
１５１，２５１，４５１，５５１  無線受信部
１５３，２５３，４５３，５５３  制御部
１５５，２５５，４５５，５５５  無線送信部
１６１，２６１，４６１，５６１  特定DMRS管理部
２３１，４３１，５３１  ePDCCH管理部
５４１  CSS復号部
５４３  UESS復号部
【図１】
2013128528.tif 000003
【図２】
2013128528.tif 000004
【図３】
2013128528.tif 000005
【図４】
2013128528.tif 000006
【図５】
2013128528.tif 000007
【図６】
2013128528.tif 000008
【図７】
2013128528.tif 000009
【図８】
2013128528.tif 000010
【図９】
2013128528.tif 000011
【図１０】
2013128528.tif 000012
【図１１】
2013128528.tif 000013
【図１２】
2013128528.tif 000014
【図１３】
2013128528.tif 000015
【図１４】
2013128528.tif 000016
【図１５】
2013128528.tif 000017
【図１６】
2013128528.tif 000018
【図１７】
2013128528.tif 000019
【図１８】
2013128528.tif 000020
【図１９】
2013128528.tif 000021
【国際調査報告】
2013128528.tif 000022
2013128528.tif 000023
2013128528.tif 000024
2013128528.tif 000025